(57)【要約】      （修正有）【課題】本発明は、撮像装置に対してより安定して装着することが可能なアクセサリ及びこれを装着可能な撮像装置、撮像システムを提供することを目的とする。【解決手段】交換レンズが、複数のカメラ側爪部と係合可能な複数のレンズ側爪部と、ロックピンが挿入されるロックピン溝部１０２を備える。そして、第５のレンズ側端部１０７ｃ１と光軸Ｏを通る線と、ロックピン溝部１０２の中心と光軸Ｏを通る線とのなす角度をθ１とする。第４のレンズ側端部１０７ｂ２と光軸Ｏを通る線と、ロックピン溝部１０２の中心と光軸Ｏを通る線とのなす角度をθ２とする。このとき、θ１とθ２が所定の条件式を満足する。【選択図】図３
2020042295.tif 000002
【特許請求の範囲】
【請求項１】
複数の第１のバヨネット爪部を備える第１のマウント部とピンを有する撮像装置に対して着脱可能なアクセサリであって、
前記複数の第１のバヨネット爪部と係合可能な複数の第２のバヨネット爪部と、前記撮像装置に前記アクセサリが装着された際に前記ピンが挿入される凹部と、を備える第２のマウント部を有し、
前記第２のマウント部の中心軸の方向視において、前記凹部の中心及び前記中心軸を通る基準線と直交し前記中心軸を通る境界線に対して前記凹部が設けられている側を凹部側とするとき、前記複数の第２のバヨネット爪部は、前記凹部側に少なくとも一部がある第１及び第２の凹部側爪部を含み、
前記第１の凹部側爪部の前記凹部に近い側の端部及び前記中心軸を通る第１の線と前記基準線とのなす角度をθ１、前記第２の凹部側爪部の前記凹部に近い側の端部及び前記中心軸を通る第２の線と前記基準線とのなす角度をθ２とするとき、
１．００≦θ１／θ２≦１．４０
９０°＜θ１＋θ２＜１８０°
なる条件式を満足することを特徴とするアクセサリ。
【請求項２】
１．００≦θ１／θ２≦１．３５
なる条件式を満足することを特徴とする請求項１に記載のアクセサリ。
【請求項３】
前記凹部は、前記第１の及び第２の線の間の領域に設けられていることを特徴とする請求項１または２に記載のアクセサリ。
【請求項４】
複数の第１のバヨネット爪部を備える第１のマウント部とピンを有する撮像装置に対して着脱可能なアクセサリであって、
前記複数の第１のバヨネット爪部と係合可能な複数の第２のバヨネット爪部と、前記撮像装置に前記アクセサリが装着された際に前記ピンが挿入される凹部と、を備える第２のマウント部を有し、
前記第２のマウント部の中心軸の方向視において、前記凹部の中心及び前記中心軸を通る基準線と直交し前記中心軸を通る境界線に対して前記凹部が設けられている側を凹部側とするとき、前記複数の第２のバヨネット爪部は、前記凹部側に少なくとも一部がある第１及び第２の凹部側爪部を含み、
前記凹部は、前記第１の凹部側爪部の前記凹部に近い側の端部及び前記中心軸を通る第１の線と、前記第２の凹部側爪部の前記凹部に近い側の端部及び前記中心軸を通る第２の線との間の領域に設けられており、
前記第１の線と前記基準線とのなす角度をθ１、前記第２の線と前記基準線とのなす角度をθ２とするとき、
９０°＜θ１＋θ２＜１８０°
なる条件式を満足することを特徴とするアクセサリ。
【請求項５】
９０°＜θ１＋θ２＜１２０°
なる条件式を満足することを特徴とする請求項１乃至４のいずれか一項に記載のアクセサリ。
【請求項６】
９０°＜θ１＋θ２＜１００°
なる条件式を満足することを特徴とする請求項１乃至４のいずれか一項に記載のアクセサリ。
【請求項７】
４０°＜θ１＜７０°
４０°＜θ２＜７０°
なる条件式を満足することを特徴とする請求項１乃至６のいずれか一項に記載のアクセサリ。
【請求項８】
４０°＜θ１＜６０°
４０°＜θ２＜６０°
なる条件式を満足することを特徴とする請求項１乃至６のいずれか一項に記載のアクセサリ。
【請求項９】
前記中心軸の方向視において、前記第１及び第２の凹部側爪部の双方が前記境界線と重なることを特徴とする請求項１乃至８のいずれか一項に記載のアクセサリ。
【請求項１０】
前記複数の第２のバヨネット爪部は、前記境界線に対して前記凹部側の反対側に両端部がある反対側爪部を含むことを特徴とする請求項１乃至９のいずれか一項に記載のアクセサリ。
【請求項１１】
前記中心軸の方向視において、前記基準線と前記反対側爪部とが重なることを特徴とする請求項１０に記載のアクセサリ。
【請求項１２】
前記反対側爪部の前記第１の凹部側爪部の側の端部及び前記中心軸を通る線と前記基準線とのなす角度をθ３、前記反対側爪部の前記第２の凹部側爪部の側の端部及び前記中心軸を通る線と前記基準線とのなす角度をθ４とするとき、
０．６≦θ３／θ４≦０．９
なる条件式を満足することを特徴とする請求項１０または１１に記載のアクセサリ。
【請求項１３】
０．６≦θ３／θ４≦０．８
なる条件式を満足することを特徴とする請求項１２に記載のアクセサリ。
【請求項１４】
前記第１及び第２の凹部側爪部の間の切欠き部の周方向における寸法は、前記第１の凹部側爪部と前記反対側爪部との間の切欠き部及び前記反対側爪部と前記第２の凹部側爪部との間の切欠き部の夫々の周方向における寸法よりも大きいことを特徴とする請求項１０乃至１３のいずれか一項に記載のアクセサリ。
【請求項１５】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記第１及び第２のマウント部が互いに当接した状態での前記中心軸の方向視において、前記第１の凹部側爪部と前記第３の爪部とが重なっている領域における前記ピンに最も近い点及び前記中心軸を通る線と前記基準線とのなす角度をθ５、前記第２の凹部側爪部と前記第２の爪部とが重なっている領域における前記ピンに最も近い点及び前記中心軸を通る線と前記基準線とのなす角度をθ６、前記θ５の最小値をθ７、前記θ６の最小値をθ８とするとき、
０．７５≦θ７／θ８≦１．２５
なる条件式を満足することを特徴とする請求項１０乃至１４のいずれか一項に記載のアクセサリ。
【請求項１６】
０．８０≦θ７／θ８≦１．２０
なる条件式を満足することを特徴とする請求項１５に記載のアクセサリ。
【請求項１７】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記第１及び第２のマウント部が互いに当接した状態での前記中心軸の方向視において、前記第１の凹部側爪部と前記第３の爪部とが重なっている領域における前記ピンに最も近い点及び前記中心軸を通る線と前記基準線とのなす角度をθ５、前記第２の凹部側爪部と前記第２の爪部とが重なっている領域における前記ピンに最も近い点及び前記中心軸を通る線と前記基準線とのなす角度をθ６、前記θ５の最小値をθ７、前記θ６の最小値をθ８、前記θ５の最大値をθ９とするとき、
９０°＜θ７＋θ８＜１８０°
９０°＜θ９＋θ８＜１８０°
なる条件式を満足することを特徴とする請求項１０乃至１６のいずれか一項に記載のアクセサリ。
【請求項１８】
９０°＜θ７＋θ８＜１１０°
１４０°＜θ９＋θ８＜１７０°
なる条件式を満足することを特徴とする請求項１７に記載のアクセサリ。
【請求項１９】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記第１及び第２のマウント部が互いに当接した状態での前記中心軸の方向視において、前記第１の凹部側爪部と前記第３の爪部とが重なっている領域における前記ピンに最も近い点及び前記中心軸を通る線と前記基準線とのなす角度をθ５、前記第２の凹部側爪部と前記第２の爪部とが重なっている領域における前記ピンに最も近い点及び前記中心軸を通る線と前記基準線とのなす角度をθ６、前記θ５の最小値をθ７、前記θ６の最小値をθ８とするとき、
４５°≦θ７
４５°≦θ８
なる条件式を満足することを特徴とする請求項１０乃至１８のいずれか一項に記載のアクセサリ。
【請求項２０】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記撮像装置に前記アクセサリが装着された状態での前記中心軸の方向視において、前記第１の凹部側爪部と前記第３の爪部とが重なっている領域における両端部と、前記第２の凹部側爪部と前記第２の爪部とが重なっている領域における両端部と、前記反対側爪部と前記第１の爪部とが重なっている領域における両端部とを結ぶ六角形の辺のうち、前記ピンに最も近い辺が最も長いことを特徴とする請求項１０乃至１９のいずれか一項に記載のアクセサリ。
【請求項２１】
前記反対側爪部の中心と、前記第２の凹部側爪部の中心と、前記第１の凹部側爪部の中心と、前記凹部の中心とを結ぶ四角形の内角のうち、前記反対側爪部の中心を頂点とする内角をθ１０、前記第２の凹部側爪部の中心を頂点とする内角をθ２０、前記第１の凹部側爪部の中心を頂点とする内角をθ３０、前記凹部の中心を頂点とする内角をθＬとするとき、
７５°≦θ１０≦１０５°
７５°≦θ２０≦１０５°
７５°≦θ３０≦１０５°
７５°≦θＬ≦１０５°
なる条件式を満足することを特徴とする請求項１０乃至２０のいずれか一項に記載のアクセサリ。
【請求項２２】
前記反対側爪部の中心と、前記第２の凹部側爪部の中心と、前記第１の凹部側爪部の中心と、前記凹部の中心とを結ぶ四角形の内角のうち、前記反対側爪部の中心を頂点とする内角をθ１０、前記第２の凹部側爪部の中心を頂点とする内角をθ２０、前記第１の凹部側爪部の中心を頂点とする内角をθ３０、前記凹部の中心を頂点とする内角をθＬとするとき、
６０°≦θ１０≦１００°
６０°≦θ２０≦１００°
６０°≦θ３０≦１００°
６０°≦θＬ≦１００°
なる条件式を満足することを特徴とする請求項１０乃至２１のいずれか一項に記載のアクセサリ。
【請求項２３】
６５°≦θ１０≦１００°
６５°≦θ２０≦１００°
６５°≦θ３０≦１００°
６５°≦θＬ≦１００°
なる条件式を満足することを特徴とする請求項２２に記載のアクセサリ。
【請求項２４】
７０°≦θ１０≦１００°
７０°≦θ２０≦１００°
７０°≦θ３０≦１００°
７０°≦θＬ≦１００°
なる条件式を満足することを特徴とする請求項２２に記載のアクセサリ。
【請求項２５】
前記θ１０、前記θ２０、前記θ３０、及び前記θＬのうち少なくとも一つが８５度以上９５度以下であることを特徴とする請求項２１乃至２４のいずれか一項に記載のアクセサリ。
【請求項２６】
８５°≦θＬ≦９５°
なる条件式を満足することを特徴とする請求項２１乃至２５のいずれか一項に記載のアクセサリ。
【請求項２７】
９０°≦θＬ≦９５°
なる条件式を満足することを特徴とする請求項２１乃至２５のいずれか一項に記載のアクセサリ。
【請求項２８】
前記反対側爪部の中心と、前記第２の凹部側爪部の中心と、前記第１の凹部側爪部の中心と、前記凹部の中心とを結ぶ四角形の内角のうち、前記第２の凹部側爪部の中心を頂点とする内角をθ２０、前記第１の凹部側爪部の中心を頂点とする内角をθ３０とするとき、
０．７５≦θ３０／θ２０≦１．２５
なる条件式を満足することを特徴とする請求項１０乃至２７のいずれか一項に記載のアクセサリ。
【請求項２９】
０．８５≦θ３０／θ２０≦１．１５
なる条件式を満足することを特徴とする請求項２８に記載のアクセサリ。
【請求項３０】
０．９５≦θ３０／θ２０≦１．０５
なる条件式を満足することを特徴とする請求項２８に記載のアクセサリ。
【請求項３１】
前記第２の凹部側爪部の周方向における寸法は、前記第１の凹部側爪部及び前記反対側爪部の夫々の周方向における寸法よりも大きいことを特徴とする請求項１乃至３０のいずれか一項に記載のアクセサリ。
【請求項３２】
前記撮像装置に前記アクセサリが装着された際に、前記撮像装置が備える複数の第１の端子部と接触する複数の第２の端子部を有し、該複数の第２の端子部は、前記複数の第２のバヨネット爪部とは異なる位置に設けられていることを特徴とする請求項１乃至３１のいずれか一項に記載のアクセサリ。
【請求項３３】
前記複数の第２の端子部は、前記アクセサリが前記撮像装置に対して装着されているかどうかを判定するための端子部を含むことを特徴とする請求項３２に記載のアクセサリ。
【請求項３４】
前記複数の第２の端子部は、前記撮像装置に取り付けられたアクセサリの種類を判別するための端子部を含むことを特徴とする請求項３２または３３に記載のアクセサリ。
【請求項３５】
前記複数の第２の端子部は、前記撮像装置及び前記アクセサリの通信制御系をグラウンドに接続するための端子部と、前記通信制御系の動作に用いられる電力を前記撮像装置から前記アクセサリに供給するための端子部と、を含むことを特徴とする請求項３２乃至３４のいずれか一項に記載のアクセサリ。
【請求項３６】
前記複数の第２の端子部は、前記撮像装置及び前記アクセサリのメカニカル駆動系をグラウンドに接続するための端子部と、前記メカニカル駆動系の動作に用いられる電力を前記撮像装置から前記アクセサリに供給するための端子部と、を含むことを特徴とする請求項３２乃至３５のいずれか一項に記載のアクセサリ。
【請求項３７】
前記複数の第２の端子部は、前記撮像装置から出力されるクロック信号を受信するための端子部と、前記撮像装置と前記アクセサリとの双方向データ通信を行うための端子部と、前記撮像装置にデータを送信するための端子部と、を含むことを特徴とする請求項３２乃至３６のいずれか一項に記載のアクセサリ。
【請求項３８】
前記複数の第２の端子部は、前記撮像装置にデータを送信するための前記端子部とは独立して前記撮像装置にデータを送信するための端子部を含むことを特徴とする請求項３７に記載のアクセサリ。
【請求項３９】
前記複数の第２の端子部は、前記撮像装置と前記アクセサリとの双方向データ通信を行うための前記端子部とは独立して前記撮像装置と前記アクセサリとの双方向データ通信を行うための端子部と、前記撮像装置からの通信要求信号を受信するための端子部と、を含むことを特徴とする請求項３７又は３８に記載のアクセサリ。
【請求項４０】
光学系を有することを特徴とする請求項１乃至３９のいずれか一項に記載のアクセサリ。
【請求項４１】
レンズ装置に対して着脱可能であることを特徴とする請求項１乃至４０のいずれか一項に記載のアクセサリ。
【請求項４２】
前記レンズ装置と係合可能な複数の第３のバヨネット爪部を備える第３のマウント部を有し、該複数の第３のバヨネット爪部の周方向における寸法の最小値は、前記複数の第２のバヨネット爪部の間の切欠き部の周方向における寸法の最小値よりも大きいことを特徴とする請求項４１に記載のアクセサリ。
【請求項４３】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記反対側爪部に隣接する第１の切欠き部の周方向における寸法は、前記中心軸の方向視において該第１の切欠き部と重なる前記第３のバヨネット爪部の周方向における寸法よりも小さく、
前記反対側爪部に隣接する第２の切欠き部の周方向における寸法は、前記中心軸の方向視において該第２の切欠き部と重なる前記第３のバヨネット爪部の周方向における寸法よりも小さいことを特徴とする請求項４１または４２に記載のアクセサリ。
【請求項４４】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記反対側爪部に隣接する第１の切欠き部の周方向における寸法は、前記複数の第３のバヨネット爪部の夫々の周方向における寸法よりも小さく、
前記反対側爪部に隣接する第２の切欠き部の周方向における寸法は、前記複数の第３のバヨネット爪部の夫々の周方向における寸法よりも小さいことを特徴とする請求項４１乃至４３のいずれか一項に記載のアクセサリ。
【請求項４５】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記反対側爪部及び前記第１の凹部側爪部の最も離れた端部同士の周方向における間隔は、前記中心軸の方向視において前記反対側爪部及び前記第１の凹部側爪部と重なる前記第３のマウント部における第１及び第２の切欠き部の最も離れた端部同士の周方向における間隔よりも大きいことを特徴とする請求項４１乃至４４のいずれか一項に記載のアクセサリ。
【請求項４６】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記中心軸の方向視において前記反対側爪部及び前記第１の凹部側爪部と重なる前記第３のマウント部における第１及び第２の切欠き部の最も離れた端部同士の周方向における間隔は、前記複数の第２のバヨネット爪部のうち互いに隣接する二つの第２のバヨネット爪部の最も離れた端部同士の周方向における間隔よりも小さく、
前記中心軸の方向視において前記２の凹部側爪部と重なる前記第３のマウント部における第３の切欠き部及び前記第１の切欠き部の最も離れた端部同士の周方向における間隔は、前記複数の第２のバヨネット爪部のうち互いに隣接する二つの第２のバヨネット爪部の最も離れた端部同士の周方向における間隔よりも小さいことを特徴とする請求項４１乃至４５のいずれか一項に記載のアクセサリ。
【請求項４７】
前記第２の凹部側爪部は、正位置において前記第１の凹部側爪部に対して重力方向の側に位置することを特徴とする請求項１乃至４６のいずれか一項に記載のアクセサリ。
【請求項４８】
前記第１のマウント部と前記ピンとを有し、請求項１乃至４７のいずれか一項に記載のアクセサリに対して着脱可能であることを特徴とする撮像装置。
【請求項４９】
請求項１乃至４７のいずれか一項に記載のアクセサリと請求項４８に記載の撮像装置とを備えることを特徴とする撮像システム。
【発明の詳細な説明】
【技術分野】
【０００１】
本発明は、アクセサリ及びこれを装着可能な撮像装置、撮像システムに関する。
【背景技術】
【０００２】
撮像装置としてのカメラボディと、このカメラボディに対して着脱可能なカメラアクセサリあるいは光学機器としての交換レンズとして特許文献１に記載のカメラボディと交換レンズが知られている。特許文献１では、挿抜位相で交換レンズをカメラボディに挿入した後、交換レンズを取付方向に回転させる。この操作によって交換レンズが装着位相となり、交換レンズ側のバヨネット爪部とカメラボディ側のバヨネット爪部が互いに結合し、交換レンズのカメラボディへの装着が完了する。
【０００３】
特許文献１ではカメラボディ側に交換レンズの光軸方向に進退可能なロックピン、交換レンズ側にロックピンが挿入されるロックピン溝部を設けている。特許文献１の装着位相においては、ロックピンがロックピン溝部に挿入されることで、ロックピンの進退無しに交換レンズがカメラボディから外れないようになっている。
【先行技術文献】
【特許文献】
【０００４】
【特許文献１】特許第５０４１０９２号公報
【発明の概要】
【発明が解決しようとする課題】
【０００５】
交換レンズには、カメラボディに装着された際に振動などの外力が交換レンズに加わったとしても交換レンズをカメラボディに対して安定して装着し続けられることが求められる。しかしながら、特許文献１に記載の交換レンズでは、３つのバヨネット爪部のうち、ロックピンが挿入されるロックピン溝部に近い２つのバヨネット爪部のうち一方とロックピン溝部との配置関係と、他方とロックピン溝部との配置関係が大きく異なる。このため、特許文献１では様々な方向からの外力に対して、あるいは、交換レンズの姿勢が変わった際に、交換レンズをカメラボディに安定して装着し続けることが困難なおそれがある。
【０００６】
そこで本発明は、撮像装置に対してより安定して装着することが可能なアクセサリ及びこれを装着可能な撮像装置、撮像システムを提供することを目的とする。
【課題を解決するための手段】
【０００７】
上記目的を達成するために、本発明のアクセサリは、
複数の第１のバヨネット爪部を備える第１のマウント部とピンを有する撮像装置に対して着脱可能なアクセサリであって、
前記複数の第１のバヨネット爪部と係合可能な複数の第２のバヨネット爪部と、前記撮像装置に前記アクセサリが装着された際に前記ピンが挿入される凹部と、を備える第２のマウント部を有し、
前記第２のマウント部の中心軸の方向視において、前記凹部の中心及び前記中心軸を通る基準線と直交し前記中心軸を通る境界線に対して前記凹部が設けられている側を凹部側とするとき、前記複数の第２のバヨネット爪部は、前記凹部側に少なくとも一部がある第１及び第２の凹部側爪部を含み、
前記第１の凹部側爪部の前記凹部に近い側の端部及び前記中心軸を通る第１の線と前記基準線とのなす角度をθ１、前記第２の凹部側爪部の前記凹部に近い側の端部及び前記中心軸を通る第２の線と前記基準線とのなす角度をθ２とするとき、
１．００≦θ１／θ２≦１．４０
９０°＜θ１＋θ２＜１８０°
なる条件式を満足することを特徴とする。
【発明の効果】
【０００８】
本発明によれば、撮像装置に対してより安定して装着することが可能なアクセサリ及びこれを装着可能な撮像装置、撮像システムを提供することができる。
【図面の簡単な説明】
【０００９】
【図１】本発明の実施形態におけるカメラボディと交換レンズのブロック図
【図２】本発明の実施形態におけるマウント部分の分解斜視図
【図３】（ａ）は正位置における撮像面側から見たレンズマウント図、（ｂ）はレンズマウントのＢ−Ｂ断面図
【図４】（ａ）は正位置における撮像面側から見たカメラマウント図、（ｂ）はカメラマウントのＢ−Ｂ断面図
【図５】正位置における撮像面側から見たレンズマウントとカメラマウントの挿抜状態図
【図６】正位置における撮像面側から見たレンズマウントとカメラマウントの装着状態図
【図７】ロックピン溝の中心及びレンズ側爪部の中心からなる多角形についての説明図
【図８】ロックピン溝の中心及び爪部の中心の説明図
【図９】（ａ）は本実施の形態に係わるカメラと交換レンズのブロック図、（ｂ）は本実施の形態に係わるカメラと交換レンズの端子部のブロック図
【図１０】変形例におけるマウント機構の分解斜視図
【図１１】変形例における非結合状態のマウント機構を示す図
【図１２】変形例における結合状態のマウント機構を示す図
【図１３】（ａ）は本実施の形態に係わるカメラ接点ピンの配置関係を表す詳細図、（ｂ）は本実施の形態に係わるカメラ接点ピンの配置関係を表す斜視図
【図１４】（ａ）は本実施の形態に係わるレンズ接点部の配置関係を表す詳細図、（ｂ）は本実施の形態に係わるレンズ接点部の配置関係を表す斜視図
【図１５】（ａ）は本実施の形態に係わるカメラに交換レンズを取り付ける際の挿入位相状態をカメラ撮影者側から見た図、（ｂ）は本実施の形態に係わるカメラに交換レンズを取り付ける際のロック位相状態をカメラ撮影者側から見た図
【図１６】カメラ本体２００に装着可能な第１の変換アダプタ４０および第２の交換レンズ５０を説明する図
【図１７】カメラ本体６０に装着可能な第２の変換アダプタ７０および第１の交換レンズ１００を説明する図
【図１８】第１の変換アダプタ４０の一方の端に設けられたカメラマウント１４０１におけるバヨネット爪部の設置角度を例示的に説明する図
【図１９】第１の変換アダプタ４０の他方の端に設けられたレンズマウント１１０１におけるバヨネット爪部の設置角度を例示的に説明する図
【図２０】互いに干渉する爪部と切欠き部とを有する所定の撮像装置１０００と所定の交換レンズ２０００との装着方法を例示的に説明する図
【図２１】本発明の実施形態に係るカメラマウント１４０１側に対してレンズマウント１１０１側を装着しようとした際の、爪部同士の干渉する様子を例示的に説明した図
【図２２】本発明の実施形態に係るレンズマウント１１０１側およびカメラマウント１４０１側において、対応しない爪部を切欠き部に挿入しようとする場合を例示的に説明する図
【図２３】第２の変換アダプタ７０の一方の端に設けられたカメラマウント１２０１におけるバヨネット爪部の設置角度を例示的に説明する図
【図２４】第２の変換アダプタ７０の他方の端に設けられたレンズマウント１５０１におけるバヨネット爪部の設置角度を例示的に説明する図
【図２５】本発明の実施形態に係るカメラマウント１２０１側の基準となる凹部にレンズマウント１５０１側の基準となる爪部を装着しようとした際の、爪部同士の干渉する様子を例示的に説明した図
【図２６】本発明の実施形態に係るカメラマウント１２０１側の基準となる凹部にレンズマウント１５０１側の基準以外の爪部を装着しようとした際の、爪部同士の干渉する様子を例示的に説明した図
【図２７】本発明の実施形態に係るカメラマウント４０１側とレンズマウント５０１側のそれぞれに設けられた爪部同士を係合させた状態を例示的に説明する図
【発明を実施するための形態】
【００１０】
（交換レンズ及びカメラボディのブロック構成）
まず、図１を用いて本実施例における交換レンズ１００及びカメラボディ２００のブロック構成について説明する。図１は交換レンズ（光学機器、アクセサリ、レンズ装置）１００とカメラボディ２００を備えるカメラシステム（撮像システム）３００のブロック図である。図１と以後説明する各図においては不要な部品や意匠に関わる部品等は省略している。交換レンズ１００はカメラボディ２００に対して装着可能、着脱可能である。
【００１１】
カメラボディ２００は、ＣＣＤやＣＭＯＳなどを含み、交換レンズ１００を介して得られた被写体の光情報を電気信号に変換する（被写体像の光電変換を行う）光電変換素子あるいは撮像素子である撮像手段２０２を備えている。カメラボディ２００はさらに、交換レンズ１００側のレンズマウント（第２のマウント部）１０１と結合するカメラマウント（第１のマウント部）２０１と、撮像手段２０２などを保持するカメラ筐体２０５を備えている。
【００１２】
カメラボディ２００は撮像手段２０２及びカメラマウント２０１以外に、交換レンズ１００側のレンズ通信手段と通信を行うカメラ通信手段、測光を行う測光手段、測距を行う測距手段、撮影した写真や動画のデータなどを記録する記録装置も備えている。カメラボディ２００はさらに、シャッタースピードなどの撮影条件などの設定を行う設定手段、ユーザーが操作可能なレリーズ手段、ユーザーに様々な情報を表示するための表示手段、電源を備えている。そして、カメラボディ２００はさらに、撮像手段２０２などを制御するための制御手段であるカメラＣＰＵを備えている。
【００１３】
交換レンズ１００は、レンズ鏡筒１０４と、レンズマウント（カメラアクセサリマウント）１０１を備える。交換レンズ１００とカメラボディ２００の電気的通信に関しては、相手側と電気的に接続可能な複数の電気コンタクト部を備えるレンズ通信手段とカメラ通信手段によって行う。電力供給情報や制御情報といった各種の情報はカメラＣＰＵとレンズＣＰＵとの間でやり取りが可能となっている。
【００１４】
交換レンズ１００はレンズマウント１０１以外に、ズーミングの際に移動するズーミングレンズユニットＺＬＵ、フォーカシングの際に移動するフォーカシングレンズユニットＦＬＵ、手振れ補正のために移動するシフトレンズユニットＳＬＵを備えている。交換レンズ１００はさらに、ズーミングレンズユニットＺＬＵ、フォーカシングレンズユニットＦＬＵ、シフトレンズユニットＳＬＵ以外のレンズユニットＬＵ、絞りユニットＤＵ，ＮＤフィルターＮＤＦを備える。
【００１５】
交換レンズ１００はさらに、ズーミングレンズユニットＺＬＵを駆動させるためのズーム駆動手段、フォーカシングレンズユニットＦＬＵを駆動させるためのフォーカス駆動手段、絞りユニットＤＵを駆動させるための絞り駆動手段を備える。交換レンズ１００はさらに、ＮＤフィルターＮＤＦを駆動させるためのＮＤ駆動手段、シフトレンズユニットＳＬＵを駆動させるための防振駆動手段を備える。交換レンズ１００はさらにレンズ通信手段と、レンズ通信手段及び前述の各駆動手段を制御するための制御手段としてのレンズＣＰＵを備える。
【００１６】
（レンズ側マウント部及びカメラ側マウント部の構成）
次に図２を用いて、交換レンズ１００及びカメラボディ２００のマウント部分について説明する。図２は、交換レンズ１００及びカメラボディ２００のマウント部分の分解斜視図である。
【００１７】
光軸Ｏは交換レンズ１００によって導かれる交換レンズ１００に対して理想的に正対する被写体からの光束の中心を示す軸である。ロックピン（ピン、挿入部、凸部）２０３はレンズマウント１０１とカメラマウント２０１の装着状態において、装着状態からの解除を規制するための突き当てピン（規制部）である。ロックピン２０３は、光軸Ｏに平行な方向に進退可能であり、退避した状態では常に進出する方向に付勢力がかかる付勢構造を有している。
【００１８】
交換レンズ１００がカメラボディ２００に対する挿抜状態にされた際に、ロックピン２０３はレンズマウント１０１と当接することによって退避位置に押し込まれる。このとき、レンズマウント１０１とカメラマウント２０１は互いに接触している。装着状態ではロックピン２０３が、レンズマウント１０１のロックピン溝部１０２（被挿入部、溝部、凹部）に入り込む（挿入する）ことで、装着状態からの解除がロックピン２０３及びロックピン溝部１０２によって規制される。
【００１９】
交換レンズ１００を取り外すために装着状態を解除するときは、解除操作部材２０４を押し込んでロックピン２０３を進出位置から退避位置へ移動させ、交換レンズ１００を非ロック位置へ回転させる。交換レンズ１００とカメラボディ２００は、レンズマウント１０１とカメラマウント２０１の当接面同士が互いに接触した状態（挿抜状態）で、非ロック位置からロック位置へと相対的に移動されることで互いに接続される（装着状態）。
【００２０】
前述のように、カメラ筺体２０５はカメラボディ２００の各部を保持する母材である。
【００２１】
より具体的には、図２においては、カメラ筐体２０５はカメラマウント２０１、通信手段である各カメラ側電気コンタクト部（カメラ側端子部、第１の端子部）の保持部材、カメラマウント固定部材２０６、レンズマウント付勢部材２０７を保持する。レンズマウント付勢部材２０７は、後述するレンズマウント１０１に設けられたレンズ爪部をカメラマウント２０１側に引き込む付勢手段であり、カメラマウント２０１とカメラ筺体２０５の間の空間に挟持されている。
【００２２】
レンズマウント１０１は、レンズマウント固定部材（マウント固定部材）１０３によってレンズ鏡筒（アクセサリ本体）１０４に固定されている。レンズ接点部（レンズ側端子部、第２の端子部）保持部材１０５は交換レンズ１００側に設けられた複数の電気コンタクト部（端子部）を保持するための保持部材であり、レンズマウント１０１に対してレンズ接点部保持部材固定部材１０６で固定されている。
【００２３】
（レンズ側マウントのバヨネット爪部の配置）
次に、図３（ａ）を用いてレンズマウント１０１のレンズ側のバヨネット爪部の位相（配置）について説明する。なお、本実施例においてはレンズ側のバヨネット爪部をレンズ側爪部、カメラ側のバヨネット爪部をカメラ側爪部とする。
【００２４】
図３（ａ）は、ロックピン２０３がロックピン溝部１０２に係合している状態である装着状態において、撮像面側から見てロックピン溝部１０２が左側に位置する位置（以後、正位置）にした際の、レンズマウント１０１を撮像面側から見た図である。なお、本実施例におけるレンズ側は光学機器（アクセサリ）側と言い換えてよく、カメラ側は撮像装置側と言い換えてもよい。
【００２５】
図３（ａ）に示すように、レンズマウント１０１には、光軸Ｏの方向視においてレンズマウント１０１が有する開口部の径方向と周方向に寸法を有する第１のレンズ側爪部１０７ａ、第２のレンズ側爪部１０７ｂ、第３のレンズ側爪部１０７ｃが設けられている。第１のレンズ側爪部１０７ａ、第２のレンズ側爪部１０７ｂ、第３のレンズ側爪部１０７ｃは交換レンズ１００が有し、複数のカメラ側爪部（複数の第１の係合部、複数の第１のバヨネット爪部）と係合可能な複数のレンズ側爪部（複数の第２の係合部、複数の第２のバヨネット爪部）である。また、図３（ｂ）に示すように、レンズマウント１０１は、レンズマウント１０１がカメラマウント２０１に取り付いた際に光軸に対して直交する方向の規制となるレンズ側径嵌合部１０９を備える。
【００２６】
なお、以後の説明では、第３のレンズ側爪部１０７ｃと第１のレンズ側爪部１０７ａとの間を第１のレンズ側切欠き部（第１の切欠き部、第１の凹部）１０８ａとし、第１のレンズ側爪部１０７ａと第２のレンズ側爪部１０７ｂとの間を第２のレンズ側切欠き部（第２の切欠き部、第２の凹部）１０８ｂとする。そして、第２のレンズ側爪部１０７ｂと第３のレンズ側爪部（第３の切欠き部、第３の凹部）１０７ｃとの間を第３のレンズ側切欠き部１０８ｃとする。また、第１のレンズ側爪部１０７ａの一端を第１のレンズ側端部１０７ａ１とし、他端を第２のレンズ側端部１０７ａ２とする。そして、第２のレンズ側端部１０７ａ２から図３（ａ）における時計回り方向に、各レンズ側爪部の各レンズ側端部を第３のレンズ側端部１０７ｂ１、第４のレンズ側端部１０７ｂ２、第５のレンズ側端部１０７ｃ１、第６のレンズ側端部１０７ｃ２とする。
【００２７】
本実施例では、図３（ａ）で示すように、第１のレンズ側爪部１０７ａは装着状態において、撮影者側から見て、ロックピン２０３が左側に位置する正位置において、ロックピン２０３と光軸Ｏを挟んで反対側に配置されている。そして、第１のレンズ側爪部１０７ａから時計回りの方向に第２のレンズ側爪部１０７ｂと第３のレンズ側爪部１０７ｃが順に配置されている。
【００２８】
（カメラボディ２００に対して交換レンズ１００をより安定して装着するための構成）
次に、カメラボディ２００に対して交換レンズ１００をより安定して装着するための各レンズ側爪部の配置について説明する。まず、各レンズ側爪部の配置の説明に必要な線、角度などを定義する。
【００２９】
交換レンズ１００の中心軸方向視（レンズマウント１０１の中心軸方向視）、すなわち、交換レンズ１００の光軸方向視において、ロックピン溝部１０２の中心と交換レンズ１００の中心軸すなわち光軸Ｏを通る線を線Ｌ１（基準線）とする。なお、線Ｌ１をロックピン２０３の中心と光軸Ｏを通る線としてもよい。交換レンズ１００の中心軸あるいはレンズマウント１０１の中心軸を、レンズマウント１０１の開口部の中心軸としても良い。
【００３０】
線Ｌ１と直交するとともに光軸Ｏを通る線を線Ｌ２とする。そして、線Ｌ２を境界線としてロックピン溝部１０２が設けられている側、すなわち、図３（ａ）において線Ｌ２の左側をロックピン溝部側（被挿入部側、溝部側、凹部側）とする。
【００３１】
そして、各レンズ側爪部のうちロックピン溝部側に少なくとも一部があるレンズ側爪部を第１の被挿入部側の係合部（第１の凹部側のバヨネット爪部、第１の溝部側のバヨネット爪部）、第２の被挿入部側の係合部（第２の凹部側のバヨネット爪部、第２の溝部側のバヨネット爪部）とする。図３（ａ）において第１の被挿入部側の係合部は第３のレンズ側爪部１０７ｃであり、第２の被挿入部側の係合部は第２のレンズ側爪部１０７ｂである。
【００３２】
第１の被挿入部側の係合部のロックピン溝部１０２側のレンズ側端部である第５のレンズ側端部１０７ｃ１と光軸Ｏを通る線である線Ｌ３と線Ｌ１とのなす角度をθ１とする。第２の被挿入部側の係合部のロックピン溝部１０２側のレンズ側端部である第４のレンズ側端部１０７ｂ２と光軸Ｏを通る線である線Ｌ４と線Ｌ１とのなす角度をθ２とする。
【００３３】
このとき、交換レンズ１００は、
０．６５≦θ１／θ２≦１．３５      （１）
を満足する。本実施例においてはθ１＝５４°、θ２＝４２°となっており、θ１／θ２＝１．２９であるため、条件式（１）を満足している。本実施例においてはθ１はθ２よりも大きくなっている。この場合、条件式（１）は１．００＜θ１／θ２≦１．３５となる。なお、θ１とθ２の値が一致していてもよく、この場合には条件式（１）の値は１．００になる。つまり、θ１≧θ２の場合には、条件式（１）は１．００≦θ１／θ２≦１．３５となる。
【００３４】
なお、交換レンズ１００が、
０．７０≦θ１／θ２≦１．３０      （１ａ）
を満足するとより好ましい。なお、条件式（１ａ）の下限値を０．８０あるいは０．９０としてもよい。さらに、条件式（１）を０．６０≦θ１／θ２≦１．４０としてもよい。この条件式も前述のようにθ１がθ２よりも大きくなっている本実施例においては、１．００＜θ１／θ２≦１．４０となる。
【００３５】
図３（ａ）に示すようにアクセサリが正位置であるとき、基準線Ｌ１に対して重力方向側の角度θ２は、基準線Ｌ１に対して重力方向側と反対側の角度θ１よりも小さくなっている。言い換えれば、アクセサリが正位置にあるとき、第２の溝部側のバヨネット爪部は、第１の溝部側のバヨネット爪部よりも重力方向側に位置している。θ１とθ２がこのような大小関係になることで、正位置において交換レンズ１００の先端が重力方向に倒れてしまうことを抑制することができる。
【００３６】
すなわち、交換レンズ１００において、ロックピン溝部１０２から見て第２のレンズ側爪部１０７ｂと第３のレンズ側爪部１０７ｃが略均等に配置されている。言い換えれば、交換レンズ１００において、第２のレンズ側爪部１０７ｂと第３のレンズ側爪部１０７ｃの間の領域の中心付近にロックピン溝部１０２が設けられている。交換レンズ１００が上記の構成を持つことによって、カメラボディ２００に対して交換レンズ１００をより安定して装着することができる。
【００３７】
交換レンズ１００がカメラボディ２００に装着された際に交換レンズ１００の位置を固定するロックピン２０３及びロックピン溝部１０２と、第２のレンズ側爪部１０７ｂと、第３のレンズ側爪部１０７ｃがバランスよく配置されている。このため、様々な方向からの外力が交換レンズ１００に対して加えられた際、あるいは、交換レンズ１００の姿勢が変わった際にもカメラボディ２００に対して交換レンズ１００をより安定して装着することができる。
【００３８】
また、交換レンズ１００が以下の条件をさらに満足するとより好ましい。複数のレンズ側爪部は、前述の第１の被挿入部側の係合部と、第２の被挿入部側の係合部に加えて次に説明する反対側係合部を有しているとより好ましい。反対側係合部とは、境界線である線Ｌ２に対してロックピン溝部側の反対側、すなわち、図３（ａ）においては線Ｌ２の右側に両レンズ側端部が設けられているレンズ側爪部のことであり、本実施例においては、第１のレンズ側爪部１０７ａが反対側係合部である。図３（ａ）に示すように、この反対側係合部の両端部は前述の線Ｌ２の右側に位置している。
【００３９】
そして、線Ｌ１と反対側係合部が重なっている。ロックピン溝部１０２が第２のレンズ側爪部１０７ｂ及び第３のレンズ側爪部１０７ｃとの間の領域の中心付近に設けられている前述の構成に加えて、上記の位置にある反対側係合部があることによって、以下の効果を得ることができる。すなわち、本実施例においては、交換レンズ１００がカメラボディ２００に装着された際に交換レンズ１００の位置を固定するロックピン２０３及びロックピン溝部１０２と、各レンズ側爪部が略９０°間隔で均等に配置されている。このため、カメラボディ２００に対して交換レンズ１００をより安定して装着することができる。
【００４０】
また、前述の反対側係合部である第１のレンズ側爪部１０７ａの第３のレンズ側爪部１０７ｃ側のレンズ側端部である第１のレンズ側端部１０７ａ１と光軸Ｏを通る線Ｌ５と線Ｌ１とのなす角度をθ３とする。そして、第１のレンズ側爪部１０７ａの第２のレンズ側爪部１０７ｂ側のレンズ側端部である第２のレンズ側端部１０７ａ２と光軸Ｏを通る線である線Ｌ６と線Ｌ１とのなす角度をθ４とする。このとき、交換レンズ１００が、
０．６０≦θ３／θ４≦０．９０      （２）
あるいは、
０．６０≦θ３／θ４≦０．８０      （２ａ）
を満足すると好ましい。言い換えれば、第１のレンズ側爪部１０７ａを線Ｌ１で図３（ａ）における上下方向に分けた際に、下側の部分の方が上側の部分よりもやや長いことが好ましい。なお、条件式（２ａ）の上限値は０．７０としてもよい。本実施例においては、θ３＝２１°、θ４＝３２°、θ３／θ４＝０．６６であるため、条件式（２）を満足している。本実施例においてはθ３よりもθ４の方が大きくなっている。
【００４１】
θ３／θ４が条件式（２）の上限値を逸脱すると、線Ｌ１すなわちロックピン溝部１０２に対して第１のレンズ側爪部１０７ａを線Ｌ１で分けた上側の部分に対して下側の部分が長すぎることになる。この状態では、第２のレンズ側切欠き部１０８ｂの長さを短くする必要があり、それに合わせて後述の第２のカメラ側爪部２０８ｂの長さも短くする必要がある。その結果、レンズ側爪部とカメラ側爪部とが係合している領域の面積が狭くなってしまい、交換レンズ１００をカメラボディ２００に対して安定して装着できなくなるおそれがある。
【００４２】
θ３／θ４が条件式（２）の下限値を逸脱すると、次に述べる第１のレンズ側爪部１０７ａを線Ｌ１で分けた上側の部分に対して下側の部分の方が長いことによる効果を充分に得ることができないおそれがある。
【００４３】
一般的には、撮像手段２０２側から見てロックピン溝部１０２が左側にある正位置でカメラシステム３００を使って撮影することが多い。カメラシステム３００が正位置である場合、図３（ａ）においては紙面下方向が重力方向である。このため、正位置において交換レンズ１００がカメラボディ２００に対して地面に近づく方向に自重によって倒れることを抑制するためには、第１のレンズ側爪部１０７ａを線Ｌ１で分けた上側の部分に対して下側の部分の方が長いことが好ましい。
【００４４】
また、図３（ａ）に示すように、第１の被挿入部側の係合部である第３のレンズ側爪部１０７ｃと、第２の被挿入部側の係合部である第２のレンズ側爪部１０７ｂの双方が前述の境界線である線Ｌ２と重なっている。このような構成によって、交換レンズ１００が倒れる方向の姿勢変化を抑制することができる。
【００４５】
また、交換レンズ１００が以下の条件をさらに満足するとより好ましい。すなわち、交換レンズ１００が、
９０°＜θ１＋θ２＜１８０°      （３）
を満足するとより好ましい。条件式（３）を満足する構成は、第２のレンズ側爪部１０７ｂと第３のレンズ側爪部１０７ｃとの間の角度が鈍角であることを意味している。前述のように本実施例においては、θ１＝５４°、θ２＝４２°、θ１＋θ２＝９６°である。条件式（３）の上限値は１２０°あるいは１００°としてもよい。
【００４６】
第２のレンズ側爪部１０７ｂと第３のレンズ側爪部１０７ｃとの間の範囲の角度が鈍角であるということは、第２のレンズ側爪部１０７ｂと第３のレンズ側爪部１０７ｃがある程度離れていることを意味している。図３（ａ）に示すように、ロックピン溝部１０２は第２のレンズ側爪部１０７ｂと第３のレンズ側爪部１０７ｃとの間に設けられている。
【００４７】
本実施例において、互いにある程度離れている第２のレンズ側爪部１０７ｂと第３のレンズ側爪部１０７ｃとの間、つまり、ガタがある程度ある領域にロックピン溝部１０２を設けている。そして、前述のように、ロックピン溝部１０２が、第２のレンズ側爪部（第２の凹部側バヨネット爪部）１０７ｂと第３のレンズ側爪部（第１の凹部側バヨネット爪部）１０７ｃとの間の第３のレンズ側切欠き部１０８ｃ（第３のレンズ側切欠き部１０８ｃが設けられている領域）に設けている。このため、本実施例では、交換レンズ１００をカメラボディ２００に装着しようとする際に、ロックピン２０３からの付勢力をガタがある程度ある領域で受ける。このため、本実施例では、ロックピン２０３からの付勢力によってレンズマウント１０１でロックピン２０３が滑る部分の摩耗をより抑制することができる。また、本実施例においては、第２のレンズ側爪部１０７ｂと第３のレンズ側爪部１０７ｃとの間、すなわち、第３のレンズ側切欠き部１０８ｃが他のレンズ側切欠き部よりも長くなっているため、前述の摩耗をより抑制することができる。
【００４８】
また、本実施例では、
４０°＜θ１＜７０°、４０°＜θ２＜７０°      （４）
を満足している。つまり、本実施例では、ロックピン溝部１０２に対して、第２のレンズ側爪部１０７ｂと第３のレンズ側爪部１０７ｃがバランスよく配置されているため、前述のように、交換レンズ１００をカメラボディ２００に対してより安定して装着することができる。条件式（４）の上限値は６０°としてもよい。
【００４９】
また、第２のレンズ側爪部１０７ｂと第３のレンズ側爪部１０７ｃが境界線である線Ｌ２と重なっているため、ロックピン溝部１０２に対して、第２のレンズ側爪部１０７ｂと第３のレンズ側爪部１０７ｃをバランスよく配置することができる。
【００５０】
（カメラ側マウントのバヨネット爪部の配置）
次に、図４（ａ）を用いてカメラマウント２０１のカメラ側爪部の位相（配置）について説明する。図４（ａ）は、正位置状態でカメラマウント２０１をカメラボディ２００の撮像面側から見た図である。
【００５１】
図４（ａ）に示すように、カメラマウント２０１には、光軸Ｏの方向視においてカメラマウント２０１が有する開口部の径方向と周方向に寸法を有する第１のカメラ側爪部（第３のバヨネット爪部）２０８ａ、第２のカメラ側爪部（第４のバヨネット爪部）２０８ｂ、第３のカメラ側爪部（第５のバヨネット爪部）２０８ｃが設けられている。第１のカメラ側爪部２０８ａ、第２のカメラ側爪部２０８ｂ、第３のカメラ側爪部２０８ｃはカメラボディ２００が有する複数の第１の係合部である。また、カメラマウント２０１は、レンズマウント１０１がカメラマウント２０１に取り付いた際に光軸に対して直交する方向の規制となるカメラ側径嵌合部２１０を備える。レンズマウント１０１がカメラマウント２０１に取り付いた際には、このカメラ側径嵌合部２１０と前述のレンズ側径嵌合部１０９とが互いに径嵌合する。
【００５２】
なお、以後の説明では、第３のカメラ側爪部２０８ｃと第１のカメラ側爪部２０８ａとの間を第１のカメラ側切欠き部２０９ａとし、第１のカメラ側爪部２０８ａと第２のカメラ側爪部２０８ｂとの間を第２のカメラ側切欠き部２０９ｂとする。そして、第２のカメラ側爪部２０８ｂと第３のカメラ側爪部２０８ｃとの間を第３のカメラ側切欠き部２０９ｃとする。また、第１のカメラ側爪部２０８ａの一端を第１のカメラ側端部２０８ａ１とし、他端を第２のカメラ側端部２０８ａ２とする。そして、第２のカメラ側端部２０８ａ２から図４（ａ）における時計回り方向に、各カメラ側爪部の各カメラ側端部を第３のカメラ側端部２０８ｂ１、第４のカメラ側端部２０８ｂ２、第５のカメラ側端部２０８ｃ１、第６のカメラ側端部２０８ｃ２とする。
【００５３】
本実施例では、各カメラ側爪部のうち、第１のカメラ側爪部２０８ａが、カメラマウント２０１を撮影者側から見た時の正位置において、ロックピン２０３と光軸Ｏを挟んで略反対側に位置している。
【００５４】
（交換レンズ１００のカメラボディ２００への取付動作）
次に図５及び図６を用いて、交換レンズ１００をカメラボディ２００に取り付ける動作について説明する。図５は正位置での挿抜状態におけるレンズマウント１０１とカメラマウント２０１を撮像手段２０２側から見た図であり、図６は正位置での装着状態におけるレンズマウント１０１とカメラマウント２０１を撮影手段２０２側から見た図である。
【００５５】
カメラボディ２００への交換レンズ１００の装着は、まず、交換レンズ１００とカメラボディ２００を、上述した各カメラ側爪部と各レンズ側切欠き部の位相を合わせ、各カメラ側切欠き部と各レンズ側爪部の位相を合わせた状態（挿抜状態）とする。そして、この挿抜状態で、レンズ側径嵌合部１０９とカメラ側径嵌合部２１０とが互いに径嵌合し、かつレンズマウント１０１側の当接面とカメラマウント２０１側の当接面とが互いに当接する位置まで交換レンズ１００をカメラボディ２００に挿入する。
【００５６】
交換レンズ１００をカメラボディ２００へ挿入しきったら、挿抜状態から装着状態の位相に向けて（図５中の矢印で示す方向へ）カメラボディ２００に対して交換レンズ１００を約６０°相対的に回転させる。これらの動作の結果、カメラボディ２００への交換レンズ１００の装着は完了する。装着状態の位相においては、光軸方向視でカメラ側爪部とレンズ側爪部が重なっている、つまり、両者がバヨネット結合しているために、交換レンズ１００がカメラボディ２００に対して光軸方向へ抜けることを抑制することができる。
【００５７】
より具体的には、装着状態において、第１のレンズ側爪部１０７ａは、第１のカメラ側爪部２０８ａの撮像手段２０２側に、第２のレンズ側爪部１０７ｂは、第２のカメラ側爪部２０８ｂの撮像手段２０２側に位置している。また、第３のレンズ側爪部１０７ｃは、第３のカメラ側爪部２０８ｃの撮像手段２０２側に位置している。このため、ロックピン２０３がロックピン溝部１０２から外れない限り、光軸方向の離間が発生しなくなっている。また、その際、レンズマウント付勢部材２０７によって各レンズ側爪部が撮像手段２０２方向に付勢される（引き込まれる）ことで片寄せされており、カメラボディ２００と交換レンズ１００との光軸方向のガタの発生が抑制されている。
【００５８】
（挿抜状態〜遷移状態においてロックピン２０３が退避していることによる影響）
上記の取付動作のうち、挿抜状態及び、挿抜状態から装着状態の間の遷移状態においては常にロックピン２０３がレンズマウント１０１によって押されてロックピン２０３がレンズマウント１０１に押し付けられている。装着状態になるとロックピン２０３がロックピン溝部１０２に挿入され、ロックピン２０３は退避状態から進出状態となる。
【００５９】
つまり、挿抜状態及び遷移状態においては、レンズマウント１０１とカメラマウント２０１との間には両マウントを互いに離間させようとする力が加わっている。このため、挿抜状態から遷移状態に移るまでの間はユーザーの力で両マウント同士を互いに押し付ける必要がある。言い換えると、各レンズ側爪部と各カメラ側爪部の係合が始まるまではロックピン２０３の付勢力以上の力で両マウント同士を互いに押しつける必要がある。また、遷移状態においては、ロックピン２０３の付勢力が、そのままレンズマウント１０１のロックピン走行面１１０（図３（ａ）破線部）にかかり続けることとなる。
【００６０】
ロックピン２０３は、強度が必要なため、硬度の高い材質を使用する場合が多く、本実施例においてもステンレスを使用している。対して、レンズマウント１０１は強度で劣る材質を使用する場合が多く、例を挙げるとアルミニウム合金、真鍮をはじめとする銅合金、樹脂部材、その他金属材料が一般的に使用される。このため、交換レンズ１００のカメラボディ２００に対する着脱動作を繰り返すと、レンズマウント１０１に摩耗や摺りキズが生じて美観を損ねる、摺動抵抗が増える、平面度が悪化するといった低下、劣化が起きる可能性がある。
【００６１】
なお、本実施例では、平面度の悪化に対する対策として、ロックピン走行面１１０と、レンズマウント１０１とカメラマウント２０１との当接面１１１との間に段差を設けている。これにより、レンズマウント１０１とカメラマウント２０１の当接の精度を確保することで、その発生を抑制している。
【００６２】
摩耗や摺りキズを抑制する方法として、ロックピン２０３の付勢力を低下させることが考えられる。しかしながら、ロックピン２０３の付勢力を低下させると、装着状態において解除操作部材２０４にユーザーが不用意に触れた際や各マウントに振動がかかった際に装着状態が解除される危険性が高まる。そのため、ロックピン２０３に対する付勢力そのものは低下させず、ロックピン２０３に対する付勢力による影響を抑制することが必要である。
【００６３】
（ロックピン２０３の付勢力による影響を抑制するための構成）
ここで、図６において、第３のレンズ側爪部１０７ｃと第３のカメラ側爪部２０８ｃの重なっている範囲（領域）における最もロックピン２０３に近い点と光軸Ｏ、ロックピン２０３あるいはロックピン溝部１０２の中心とでなす角をθ５とする。この最もロックピン２０３に近い点は本実施例においては第５のレンズ側端部１０７ｃ１上の点である。また、第２のレンズ側爪部１０７ｂと第２のカメラ側爪部２０８ｂの重なっている範囲における最もロックピン２０３に近い点と光軸Ｏ、ロックピン２０３の中心とでなす角をθ６とする。この最もロックピン２０３に近い点は本実施例においては第４のカメラ側端部２０８ｂ２上の点である。
【００６４】
なお、レンズ側爪部とカメラ側爪部とが重なっている範囲（領域）における最もロックピン２０３あるいはロックピン溝部１０２に近い点は、レンズ側爪部の端部あるいはカメラ側爪部の端部上の点である。ここでいうレンズ側爪部の端部あるいはカメラ側爪部の端部上の点を爪部の端部における中点としてもよい。あるいは、レンズ側爪部の端部とカメラ側爪部の外周面あるいは内周面との交点を、前述のレンズ側爪部の端部あるいはカメラ側爪部の端部上の点としてもよい。あるいは、カメラ側爪部の端部とレンズ側爪部の外周面あるいは内周面との交点を、前述のレンズ側爪部の端部あるいはカメラ側爪部の端部上の点としてもよい。
【００６５】
ここで、各レンズ側爪部と各カメラ側爪部で決まる光軸方向の寸法の違いがＡだとすると互いのマウントが平行に動くと互いのマウント同士の光軸方向のガタ成分はＡのままとなる。また、各爪部の重なり角度、言い換えれば各レンズ爪部と各カメラ爪部が重なっている面積の大きさにより、マウント同士の倒れやすい方向が決まる。つまり、各レンズ側爪部と各カメラ側爪部の重なっている範囲（あるいは領域）と範囲の間の中間点が最も倒れやすい方向となる。図６中の破線で示した六角形の頂点が実質的にマウント同士の倒れを規制する点であり、六角形の各辺の中心付近の倒れが大きくなり、かつ、長い辺ほどその辺への方向の倒れの絶対値が大きくなる。
【００６６】
なお、図６に示す六角形の各頂点の２つは、第１の被挿入部側の係合部と第３の撮像装置側の係合部とが重なっている領域における一方側の端部及び他方側の端部と言い換えることができる。他の頂点についても同様に言い換えることができる。
【００６７】
本実施例においては、各レンズ側爪部と各カメラ爪部の重なっている範囲と範囲の間のうち、第４のカメラ側端部２０８ｂ２から第５のレンズ側端部１０７ｃ１との間の範囲、つまり、θ５＋θ６の角度を有する範囲が最も広い。言い換えれば、図６に示す六角形の各辺のうち、第４のカメラ側端部２０８ｂ２と第５のレンズ側端部１０７ｃ１との間の辺が最長である。つまり、本実施例においては、レンズマウント１０１のカメラマウント２０１に対する相対的な倒れが最も起きやすいのは第４のカメラ側端部２０８ｂ２から第５のレンズ側端部１０７ｃ１との間の範囲である。
【００６８】
このように本実施例においては、各レンズ側爪部と各カメラ爪部の重なっている範囲と範囲の間のうち、最も広い角度を有し、レンズマウント１０１が相対的に最も倒れやすい（ガタが発生しやすい）範囲にロックピン２０３を設けている。このため、ロックピン２０３の付勢力を弱めなくてもロックピン２０３の付勢力によってレンズマウント１０１上の面が摩耗することを抑制することができる。
【００６９】
なお、上記の説明は交換レンズ１００及びカメラボディ２００が図６に示す装着状態にある場合に形成される角度θ５及び角度θ６を用いたものであるが、挿抜状態から遷移状態を経て装着状態に至る過程においてθ５は変化している。そこで、各状態すべてにおいて最も小さいθ５をθ７、最も小さいθ６をθ８と定義する。本実施例においてはθ７＝５４°、θ８＝４６°となっている。
【００７０】
なお、θ５は常に第５のレンズ側端部１０７ｃ１と光軸Ｏとロックピン２０３とで決まっており、挿抜状態から遷移状態を経て装着状態に至る過程において変化しており、θ５が最小値となる状態は装着状態である。θ６は常に第４のカメラ側端部２０８ｂ２と光軸Ｏとロックピン２０３とで決まっており、挿抜状態から遷移状態を経て装着状態に至る過程において変化せず、常に一定であり、常にθ６＝θ８である。このとき、本実施例においては、交換レンズ１００は、
０．７５≦θ７／θ８≦１．２５      （８）
あるいは
０．８０≦θ７／θ８≦１．２０      （８ａ）
を満足するように構成されている。本実施例においてはθ７／θ８＝１．１７であり、上記の条件式（８）は満足されている。交換レンズ１００が条件式（８）を満足することによって、θ５＋θ６が最小になる状態が実現する。この装着状態においては、ロックピン２０３が第５のレンズ側端部１０７ｃ１と第４のカメラ側端部２０８ｂ２との間の範囲の略中心に位置している。
【００７１】
つまり、装着状態においてレンズマウント１０１が倒れやすい方向（場所）にロックピン２０３が位置することになる。このため、付勢力が最も強くなる装着状態におけるロックピン２０３の付勢力による影響を抑制することができる。また、交換レンズ１００をカメラボディに対してより安定して装着することができる。本実施例においてはθ７はθ８よりも大きくなっている。
【００７２】
また、本実施例において、交換レンズ１００は、
９０°＜θ７＋θ８＜１８０°、９０°＜θ９＋θ８＜１８０°      （９）
あるいは、
９０°＜θ７＋θ８＜１１０°、１４０°＜θ９＋θ８＜１７０°      （９ａ）
を満足している。θ９は、図６に示すように第６のカメラ側端部２０８ｃ２と光軸Ｏとロックピン２０３の中心とで作られる角度であり、θ５の最大値でもある。
【００７３】
交換レンズ１００をカメラボディ２００に取り付けてから装着が完了するまでの間で交換レンズ１００が条件式（９）を満足すると次の効果を得ることができる。すなわち、ロックピン２０３は常にレンズ側爪部とカメラ側爪部とが接触している点同士の間隔が広い領域に位置する。このため、ロックピン２０３は挿抜状態から遷移状態にかけて常に倒れやすい状態にあるため、ロックピン２０３の付勢力を弱めなくても前述のロックピン２０３の付勢力による影響を抑制することができる。本実施例においてはθ７＋θ８＝１００°、θ９＋θ８＝１６０°である。
【００７４】
また、θ７、θ８共に４５度以上であり、ロックピン２０３は、倒れ規制部材である各爪部の重なり位置から遠くなっているため、ロックピン２０３はより倒れやすくなっている。
【００７５】
以上の構成を取ることで、ロックピン２０３の位相方向（周方向）の倒れを大きくすることができ、マウント同士がロックピン２０３の付勢力によって離間し、遷移状態のロックピン２０３の付勢力が弱まり、摩耗や摺りキズの発生を抑制することが可能となる。また、装着状態においては、ロックピン２０３の付勢力以上の力でレンズマウント付勢部材２０７によって各レンズ側爪部を付勢することで装着状態におけるガタを抑制している。
【００７６】
（ロックピン溝部及び各レンズ側爪部の配置関係）
図３（ａ）を用いてロックピン溝部及び各レンズ側爪部の配置関係を説明したが、本実施例におけるロックピン溝部及び各レンズ側爪部の配置関係は図７及び図８を用いて以下のように説明することができる。
【００７７】
前述のように各レンズ側爪部は、レンズマウント付勢部材２０７によって撮像手段２０２方向へ付勢されている。この付勢力によって交換レンズ１００とカメラボディ２００との間、言い換えれば、レンズマウント１０１とカメラマウント２０１との間のガタの発生を抑制している。さらにこの付勢力は、レンズマウント１０１とカメラマウント２０１との間に摩擦力を発生させ、光軸方向と直交するラジアル方向へのガタの発生、レンズマウント１０１がカメラマウント２０１に対してラジアル方向へ相対的に変位することも抑制している。また、このラジアル方向へのガタ及び相対的な変位は、前述のようにロックピン２０３がロックピン溝部１０２に挿入されることによっても抑制されている。
【００７８】
このような付勢力が仮にある１つのレンズ爪部に集中してしまうと、そのレンズ爪部がある方向にレンズマウント１０１ひいては交換レンズ１００が倒れてしまうおそれがある。このため、レンズマウント付勢部材２０７による付勢力は、レンズマウント１０１すなわち交換レンズ１００に対して均等に作用することが好ましい。そこで、本実施例においては、レンズマウント付勢部材２０７からの付勢力を受ける各レンズ爪部を略均等に配置している。以下にその配置について具体的に説明する。
【００７９】
図７において、第１のレンズ側爪部１０７ａの中心を第１のレンズ側爪部中心１０７ａ３とし、第２のレンズ側爪部１０７ｂの中心を第２のレンズ側爪部中心１０７ｂ３とし、第３のレンズ側爪部１０７ｃの中心を第３のレンズ側爪部中心１０７ｃ３とする。つまり、レンズマウント１０１とカメラマウント２０１のガタの抑制は、上記の３つのレンズ側爪部中心１０７ａ３、１０７ｂ３、１０７ｃ３に加えて、ロックピン溝部中心１０２ａを中心とした摩擦力と位置規制によって抑制されている。したがって、これらの各中心をレンズマウント１０１上に略均等に配置することで、レンズマウント１０１とカメラマウント２０１の間に発生する摩擦力を均一化することができる。本実施例ではこのような構成を取ることによって、交換レンズ１００をカメラボディ２００に対してより安定して装着することができる。
【００８０】
なお、各レンズ側爪部中心及びロックピン溝部中心１０２ａの定義を、図８を参照して説明する。具体的には、まず、図８（ａ）に示すように、レンズ側爪部の周方向の寸法を２等分する点、つまり、周方向の寸法ｃ１とｃ２が等しくなる点と光軸Ｏを通る線を線Ｌ７とする。そして、レンズ側爪部の径方向の寸法を２等分する点を通る曲線、つまり径方向の寸法ｄ１とｄ２が等しくなる曲線を線Ｌ８とする。このとき、線Ｌ７と線Ｌ８の交点をレンズ側爪部の中心とする。ここでいうレンズ側爪部の径方向の寸法とは、レンズマウント１０１の一部からレンズ側爪部が立ち上がった点Ｐ１あるいはＰ２からレンズ側爪部の外周面までの寸法である。あるいは、前述のレンズ側爪部が立ち上がった点Ｐ１あるいはＰ２の２点と、レンズ側爪部の外周面の端点の２点の計４点を結ぶ四角形の２つの対角線の交点をレンズ側爪部の中心としてもよい。
【００８１】
また、ロックピン溝部中心１０２ａは図８（ｂ）に示す通りである。具体的には、まず、ロックピン溝部１０２の線Ｌ１方向の寸法を２等分する点、つまり線Ｌ１方向の寸法ｈ１とｈ２が等しくなる点と線Ｌ１と直交する線を線Ｌ９とする。このとき、線Ｌ９と線Ｌ１との交点をロックピン溝部中心１０２ａとする。なお、線Ｌ１は、ロックピン溝部１０２の線Ｌ９方向の寸法を２等分する点、つまり、線Ｌ９方向の寸法ｖ１とｖ２が等しくなる点を通る線でもある。
【００８２】
次に、図７を用いて、前述の各中心をレンズマウント１０１上に略均等に配置する構成をより具体的に説明する。図７には、各レンズ側爪部中心１０７ａ３〜１０７ｃ３とロックピン溝部中心１０２ａと頂点とする四角形と、その四角形の各内角を示している。
【００８３】
ここで各内角のうち、第１のレンズ側爪部中心１０７ａ３を頂点とした第１の内角の角度をθ１０、１０７ｂ３を頂点とした第２の内角の角度をθ２０、１０７ｃ３を頂点とした第３の内角の角度をθ３０、１０２ａを頂点とした第４の内角の角度をθＬとする。本実施例においては、各レンズ側爪部中心及びロックピン溝部中心が略均等に配置されるように各内角の角度が設定されている。θ１０、θ２０、θ３０、θＬは四角形の各内角であるため、θ１０＋θ２０＋θ３０＋θＬ＝３６０°を満足する。
【００８４】
より具体的には、本実施例における交換レンズ１００は、
７５°≦θ１０≦１０５°、７５°≦θ２０≦１０５°、７５°≦θ３０≦１０５°、
７５°≦θＬ≦１０５°      （１０）
を満足している。つまり、θ１０、θ２０、θ３０、θＬのそれぞれがある所定の角度範囲内に収まっているため、前述のように各レンズ側爪部中心及びロックピン溝部中心が略均等に配置される。なお、条件式（１０）を、
６０°≦θ１０≦１２０°、６０°≦θ２０≦１２０°、６０°≦θ３０≦１２０°、６０°≦θＬ≦１２０°      （１０ａ）
としてもよい。
【００８５】
あるいは、条件式（１０）を、
６０°≦θ１０≦１００°、６０°≦θ２０≦１００°、６０°≦θ３０≦１００°、６０°≦θＬ≦１００°      （１０ｂ）、
６５°≦θ１０≦１００°、６５°≦θ２０≦１００°、６５°≦θ３０≦１００°、６５°≦θＬ≦１００°      （１０ｃ）
７０°≦θ１０≦１００°、７０°≦θ２０≦１００°、７０°≦θ３０≦１００°、７０°≦θＬ≦１００°      （１０ｄ）
のいずれかとしてもよい。なお、条件式（１０ｂ）（１０ｃ）（１０ｄ）の上限値を９９°としてもよい。
【００８６】
また、θ１０、θ２０、θ３０、θＬのうち少なくとも一つが８５度以上９５度以下であれば、各レンズ側爪部中心及びロックピン溝部中心がより略均等に配置されることになるためより好ましい。
【００８７】
さらに好ましくは、交換レンズ１００が、
８５°≦θＬ≦９５°      （１１）
あるいは
９０°＜θＬ≦９５°      （１１ａ）
を満足すると、ロックピン溝部中心１０２ａに対して、各レンズ側爪部中心がより均等に配置されるためより好ましい。
【００８８】
さらに好ましくは、交換レンズ１００が、
０．７５≦θ３０／θ２０≦１．２５      （１２）
あるいは、
０．８５≦θ３０／θ２０≦１．１５      （１２ａ）
あるいは、
０．９５≦θ３０／θ２０≦１．０５      （１２ｂ）
を満足するとより好ましい。これにより、ロックピン溝部１０２に対して第２のレンズ側爪部１０７ｂと第３のレンズ側爪部１０７ｃが均等に配置されるために好ましい。また、θＬが９０°よりも大きい、つまりθＬが鈍角であれば、第３のレンズ側切欠き部１０８ｃが他のレンズ側切欠き部よりも長くなるため、ロックピン２０３の付勢力による影響を抑制することができる。本実施例においてはθ２０はθ３０よりも大きくなっている。
【００８９】
なお、本実施例の各内角は、θ１０＝７７°、θ２０＝９８°、θ３０＝９２°、θＬ＝９３°となっており、交換レンズ１００は内角に関する前述の各条件を満足している。このように、本実施例では、各中心点がレンズマウント１０１上に略均等に配置されている。このため、レンズマウント１０１とカメラマウント２０１の間に発生する摩擦力を均一化でき、ガタを抑制しながら交換レンズ１００をカメラボディ２００に対してより安定して装着することができる。
【００９０】
交換レンズ１００とカメラボディ２００の装着状態においては、カメラボディ２００を保持しながら交換レンズ１００を操作することが多い。このため、レンズマウント１０１とカメラマウント２０１の間に光軸方向と直角の方向であるラジアル方向へ力が加わることがある。これに対して本実施例においては前述の構成を採用しているために、交換レンズ１００をカメラボディ２００に対してより安定して装着することができる。このため、高速連写や動画撮影をした際にレンズマウント１０１とカメラマウント２０１のガタに起因するフレームごとの位置ズレが発生しにくい。
【００９１】
近年、ＡＰＳ−Ｈサイズ（約２９．２×２０．２ｍｍ）のセンサにおいて、２億５０００万画素を実現したセンサが開発されるなど、撮像手段の高解像度化が顕著である。高解像度の映像であればあるほど、フレームごとの映像を確認すると位置ズレが目立つ。このような状況に対して本実施例によれば、撮像手段が高解像度化しても位置ズレを抑制することができる。
【００９２】
なお、レンズマウント１０１とカメラマウント２０１との間のラジアル方向のガタを抑制するために、レンズ側径嵌合部１０９とカメラ側径嵌合部２１０の嵌め合いをきつくすることが考えらえる。しかしながら、レンズ側径嵌合部１０９とカメラ側径嵌合部２１０の嵌め合いをきつくしてしまうと、レンズマウント１０１とカメラマウント２０１の取り付けの作業性が低下してしまう。これに対して本実施例の構成を採用すれば、レンズ側径嵌合部１０９とカメラ側径嵌合部２１０の嵌め合いをきつくする必要がないため、前述の作業性の低下を抑制することができる。
【００９３】
また、レンズマウント１０１とカメラマウント２０１との間のラジアル方向のガタを抑制するために、レンズマウント付勢部材２０７による付勢力を大きくすることが考えられる。しかしながら、レンズマウント付勢部材２０７による付勢力を大きくするとレンズマウント１０１とカメラマウント２０１の挿抜状態における操作力を大きくする必要がある。これに対して本実施例の構成を採用すれば、レンズマウント付勢部材２０７による付勢力を大きくする必要がないため、前述のような大きな操作力が不要となる。
【００９４】
（変形例）
以上、本発明の好ましい実施形態について説明したが、本発明はこの実施形態に限定されず、その要旨の範囲内で種々の変形及び変更が可能である。
【００９５】
例えば、本実施例の構成を光学機器（アクセサリ）に使用するのであれば、交換レンズ以外にもアダプタやエクステンダーのようなマウントを介して使用するカメラアクセサリに使用可能である。また、各爪部には切欠きや段差部などが設けられていてもよい。また、本実施例で示した構成は、一眼レフカメラ用の交換レンズ以外にも、レンズシャッタカメラ、デジタルカメラ、ビデオカメラ等の各種撮像機器用のレンズ鏡筒に用いることも可能である。交換レンズ１００においてもアダプタにおいてもレンズマウント１０１がレンズマウント固定部材１０３によって固定されている部材をアクセサリ本体とする。
【００９６】
なお、本実施例においては、θ７が実質的に第５のレンズ側端部１０７ｃ１によって決まっているが、第３のレンズ側爪部１０７ｃの角度範囲もしくは第３のカメラ側爪部２０８ｃによっては、第５のカメラ側端部２０８ｃ１によってθ７が決まってもよい。
【００９７】
また、前述した実施形態における各マウントに設けられた３つのバヨネット爪部のそれぞれを、さらに細分化するように分割する構成であってもよい。すなわち、１つのバヨネット爪部を複数のバヨネット爪部の集合（バヨネット爪群）として形成する構成であってもよい。例えば、１つのバヨネット爪部に溝部を設けた場合が、これに該当する。この場合、各マウントの円周方向において配されるバヨネット爪群の角度範囲は、前述した実施形態の通りである。
【００９８】
ここで、レンズ接点部（レンズ側端子部）保持部材１０５が備える複数の電気コンタクト部（端子群、電気接点群）について図９（ａ）（ｂ）を用いて説明する。図９（ａ）は、前述の図１とは別観点のカメラシステムのブロック図である。図９中のレンズ６０１は図１におけるズームレンズユニットＺＬＵ、フォーカスレンズユニットＦＬＵなどの光学素子のことである。レンズ制御部６０３は図１におけるレンズＣＰＵである、マウント６００はレンズマウント１０１とカメラマウント２０１の総称である。レンズ駆動部６０２は図１における各駆動手段の総称であり、イメージセンサ６１１は図１における撮像手段２０２である。レンズ制御部６０３は後述の各端子を介してカメラ制御部６１８と第１、第２、第３通信を行うことが可能である。
【００９９】
カメラボディ２００は、イメージセンサ６１１から出力されたアナログ電気信号をデジタル信号に変換するＡ／Ｄ変換部６１２と、Ａ／Ｄ変換部６１２によって変換されたデジタル信号に対する各種画像処理を行って映像信号を生成する画像処理部６１３とを有する。
【０１００】
画像処理部６１３にて生成された映像信号（静止画像や動画像）は、表示部６１４に表示されたり、記録媒体６１５に記録されたりする。また、カメラボディ２００は、映像信号に対する処理を行う際のバッファとしての機能を果たすとともに、後述するカメラ制御部６１８が用いる動作プログラムを格納するメモリ６１６を有する。また、カメラボディ２００は、電源のオン／オフを行うための電源スイッチ、映像信号の記録を開始させる撮影スイッチおよび各種メニューの設定を行うための選択／設定スイッチ等を含むカメラ操作入力部６１７を有する。
【０１０１】
また、カメラボディ２００は、マイクロコンピュータを含むカメラ制御部６１８を有する。カメラ制御部６１８は、カメラ操作入力部６１７からの信号を入力して各種設定を行ったり、マウント６００を介して交換レンズ１００に備えられたレンズ制御部６０３との通信を制御したりする。
【０１０２】
次に、図９（ｂ）を用いて、カメラボディ２００と交換レンズ１００との電気的な接続構成について説明する。図９（ｂ）には、マウント６００を介してカメラボディ２００と交換レンズ１００とが接続された際の電気回路構成と、それらを電気的に接続するためにマウント１に設けられた端子部（電気接点）と、各端子部のそれぞれの接続状態を示している。
【０１０３】
カメラシステムにおけるマウント６００はカメラボディ２００側のマウント部（第１のマウント部）Ａと交換レンズ１００側のマウント部（第２のマウント部）Ｂとで構成されており、マウント部Ａおよびマウント部Ｂは相手側と電気的に接続可能な複数の端子部（接点あるいは電気接点）を備えている。
【０１０４】
より詳細には、マウント６００は、カメラボディ２００から交換レンズ１００に電源を供給するための電源端子部であるＶＤＤ端子部とＶＢＡＴ端子部と、グラウンド端子部であるＤＧＮＤ端子部とＰＧＮＤ端子部を備える。マウント６００はさらに、カメラ制御部６１８とレンズ制御部６０３とが通信するため通信用端子部であるＬＣＬＫ端子部、ＤＣＬ端子部、ＤＬＣ端子部、ＤＬＣ２端子部、ＣＳ端子部、ＤＣＡ端子部を備える。マウント６００はさらに、その他の端子部として、カメラボディ２０に交換レンズ１００が装着されたことを検出するためのＭＩＦ端子部、カメラボディ２００に装着されたカメラアクセサリの種類を判別するためのＴＹＰＥ端子部を備える。
【０１０５】
なお、図９（ｂ）において、カメラ電源部１１０３は、装着されたアクセサリに対して、ＶＤＤ端子を介して給電するための電源、または電源切り替え部１１０４を介して第１通信用Ｉ／Ｆ部１１０２ａに供給するための電源として、通信制御用電源（ＶＤＤ）を生成する。また、カメラ電源部１１０３は、装着されたアクセサリに対してＶＢＡＴ端子を介して給電するための電源として、駆動用電源（ＶＢＡＴ）を生成する。
【０１０６】
また、カメラ電源部１１０３は、カメラ制御部６１８および第１通信用Ｉ／Ｆ部１１０２ａと第２・第３通信用Ｉ／Ｆ部１１０２ｂへと供給するための電源として、３．３Ｖの電源を生成する。また、カメラ電源部１１０３は、電源切り替え部１１０４を介して第１通信用Ｉ／Ｆ部１１０２ａと第２・第３通信用Ｉ／Ｆ部１１０２ｂへ供給するための電源として、３．０Ｖの電源を生成する。
【０１０７】
電源切り替え部１１０４は、カメラ電源部１１０３と接続されている。そして電源切り替え部１１０４は、カメラ電源部１１０３で生成されたＶＤＤと３．０Ｖの電源のうちの何れか一方のみを通信インターフェース用の電源Ｖｓとして第１通信用Ｉ／Ｆ部１１０２ａに対して供給する。なお、電源電圧の切り替えは、カメラ制御部６１８からの指示に従い実行される。
【０１０８】
レンズ電源部１２０５は、カメラ本体２００側から供給されたＶＤＤに基づいて、レンズ制御部６０３、及び、レンズ側通信用Ｉ／Ｆ部１２０２へと供給するための電源電圧として３．０Ｖの電源を生成する。また、交換レンズ１００がカメラ本体２００に装着された状態で、交換レンズ１００側の駆動回路部１２０４には、前述したカメラ電源部１０３からＶＢＡＴ端子を介して駆動用電源（ＶＢＡＴ）が供給される。
【０１０９】
なお、本実施形態ではレンズ制御部６０３とレンズ側通信用Ｉ／Ｆ部１２０２の電源電圧のレベルを同一（３．０Ｖ）としているが、レンズ制御部６０３が示す電圧レベルは３．３Ｖに設定する構成であってもよい。この場合、レンズ側通信用Ｉ／Ｆ部１２０２に対して３．０Ｖと３．３Ｖの電圧レベルの電源を供給する必要があるため、レンズ電源部１２０５は、３．０Ｖおよび３．３Ｖの電源を生成する。
【０１１０】
以下、各端子部についてより詳細に説明する。
【０１１１】
（電源端子部）
ＶＤＤ端子部は、主に通信制御に用いられる通信電力としての通信制御用電源（ＶＤＤ）をカメラボディ２００から交換レンズ１００に電源供給するための端子部である。本実施例では通信制御用電源を５．０Ｖとしている。ＶＢＡＴ端子部は、上記通信制御を除く、主にモータ等を含む機械的な駆動系等の動作に用いられる駆動電力としての駆動用電源（ＶＢＡＴ）をカメラボディ２００から交換レンズ１００に電源供給するための端子部である。本実施例では駆動用電源を４．２５Ｖとしている。
【０１１２】
ＤＧＮＤ端子部は、カメラボディ２００と交換レンズ１００の通信制御系とをグラウンドに接続する端子部である。つまり、上記ＶＤＤ電源に対応した接地（ＧＮＤ）端子部である。ここでの接地は電池などの電源の負極側と同レベルにすることである。ＰＧＮＤ端子部は、カメラボディ２００と交換レンズ１００に設けられたモータ等を含むメカニカル駆動系とをグラウンドに接続するための端子部である。つまり、上記ＶＢＡＴ電源に対応した接地（ＧＮＤ）端子部である。
【０１１３】
（通信用端子部）
通信用端子部は、第１の通信を行うための第１通信部である端子部群（ＬＣＬＫ、ＤＣＬ、ＤＬＣ端子部）、第１の通信とは独立した第２の通信を行うための第２通信部である端子部（ＤＬＣ２端子部）を備える。通信用端子部はさらに、第１及び第２の通信とは独立した第３の通信を行うための第３通信部である端子部群（ＣＳ、ＤＣＡ端子部）を備える。カメラ制御部６１８とレンズ制御部６０３は、これらの通信用端子部を介してそれぞれ独立した第１、第２、第３の通信を行うことができる。
【０１１４】
ＬＣＬＫ端子部は、カメラボディ２００から交換レンズ１００に出力される通信クロック信号用の端子部であり、交換レンズ１００のビジー状態をカメラボディ２００が監視するための端子部でもある。ＤＣＬ端子部は、カメラボディ２００と交換レンズ１００との双方向通信データ用の端子部であり、ＣＭＯＳタイプのインターフェースである。ＤＬＣ端子部は、交換レンズ１００からカメラボディ２００へ出力される通信データ用の端子部であり、ＣＭＯＳタイプのインターフェースである。
【０１１５】
ＤＬＣ２端子部は、交換レンズ１００からカメラボディ２００に出力される通信データ用の端子部であり、ＣＭＯＳタイプのインターフェースである。ＤＣＡ端子部は、カメラボディ２００と交換レンズ１００との双方向通信データ用の端子部であり、ＣＭＯＳタイプのインターフェースである。ＣＳ端子部は、カメラボディ２００と交換レンズ１００との通信要求信号端子部であり、オープンタイプのインターフェースである。
【０１１６】
（その他の端子部）
ＭＩＦ端子部は、交換レンズ１００がカメラボディ２００に装着されたかどうか、交換レンズ１００がカメラボディ２００から取り外されたかどうかを検出するための端子部である。カメラ制御部１８は、ＭＩＦ端子部の電圧レベルの変化を検出することで、カメラボディ２００に交換レンズ１００が装着されたことを検出した後、ＶＤＤ端子部やＶＢＡＴ端子部への電源供給を開始し、通信を開始する。つまり、ＭＩＦ端子部はカメラボディ２００から交換レンズ１００への電源供給開始のきっかけとなる。ＴＹＰＥ端子部は、上述した通り、カメラボディ２００に装着されたカメラアクセサリの種類を判別するための端子部である。カメラ制御部６１８は、ＴＹＰＥ端子部の信号の電圧を検出し、その値に基づいて、カメラボディ２００に装着されたカメラアクセサリの種類を判別する。交換レンズ１００は、後述する所定の抵抗値でＤＧＮＤにプルダウン接続される。本実施例ではカメラボディ２００に交換レンズ１００が装着された場合においては、第１通信部、及び、第２通信部、及び、第３通信部の端子部におけるインターフェース電圧を３．０Ｖとして通信を行う。
【０１１７】
また、前述した実施形態では、カメラマウントとアクセサリマウントの何れかを備えた機器を他方のマウントを備えた機器に対して実際に回転させることで、双方の機器同士をバヨネット結合する構成について説明したが、これに限定されるものではない。例えば、カメラマウントとアクセサリマウント同士を相対的に回転させる構成を採用して、カメラマウントとアクセサリマウント同士のバヨネット結合を可能とする構成であってもよい。以下、この詳細について具体的に説明する。
【０１１８】
図１０は、本発明の変形例に係るマウント機構５０００の分解斜視図である。図１１は、本発明の変形例に係るマウント機構５０００の非結合状態ついて例示的に説明する図である。図１２は、本発明の変形例に係るマウント機構５０００の結合状態ついて例示的に説明する図である。なお、図１０〜図１２においては、説明のために、マウント機構５０００の可動マウント部５０１０と、マウント機構５０００の可動マウント部５０１０とバヨネット結合が可能なレンズマウント１０１を同時に図示している。また、前述した実施形態と同一の部材については説明を省略し同一の符号を付す。
【０１１９】
図１０に図示するように、本変形例のマウント機構５０００は、光軸Ｏを中心軸として、レンズマウント１０１が取り付けられる側から順に、操作部５０３０、固定マウント部５０２０、可動マウント部５０１０、接点保持部材２０３０が配されている。操作部材５０３０は、中心軸を中心に回転可能なリング状の操作手段であって、腕部５０４０とビスにより、可動マウント部５０１０にビスで固定されている。なお、本変形例では、中心軸に対して直交方向に配された２つの腕部５０４０を用いて、操作部５０３０と可動マウント部５０１０とが計２箇所で固定されている。この構成により、操作部５０３０が回転操作されることに応じて、可動マウント部５０１０も一体的に中心軸を中心として回転する。
【０１２０】
可動マウント部５０１０には、レンズマウント１０１に設けられたバヨネット爪部とそれぞれバヨネット結合が可能な可動マウント爪部５０１１ａ、５０１１ｂ、５０１１ｃが設けられている。また、可動マウント部５０１０には、中心軸回りにねじ切りされたねじ部５０１２が設けられており、可動マウント部５０１０の中心軸回りの回転に伴って、後述する固定マウント部５０２０のねじ部５０２２との螺合状態が変化する。
【０１２１】
固定マウント部５０２０には、レンズマウント１０１のマウント面と当接するカメラマウント面５０２１と、前述した可動マウント部５０１０のねじ部５０１２と螺合するねじ部５０２２が備えられている。固定マウント部５０２０は、前述した可動マウント部５０１０とは異なり、操作部材５０３０の回転操作に応じて、中心軸回りに回転することはない。
【０１２２】
次に、図１１、図１２を参照して、本変形例に係るマウント機構のバヨネット結合方法について説明する。なお、レンズマウント１０１に設けられた各バヨネット爪は、操作部材５０３０の開口部分および固定マウント部５０２０の開口部分を挿通した状態で、可動マウント部５０１０の可動マウント爪部５０１１ａ〜ｃと係合可能な状態となる。図１１に図示する状態は、操作部５０３０が非ロック位置に位置する状態である。この状態では、レンズマウント１０１のレンズマウント面と固定マウント部５０２０のカメラマウント面５０２１とを当接するが、中心軸方向から見て、レンズマウント１０１および可動マウント部５０１０のそれぞれの爪部同士が互いに係合せず重ならない。図１１（ｃ）は、図１１（ｂ）に図示するＣ−Ｃ断面の断面図を示す。この状態から、操作部５０３０を回転操作した状態のマウント機構５０００を例示するのが図１２である。
【０１２３】
図１２に図示する状態は、操作部材５０３０がロック位置に位置する状態である。この状態では、中心軸方向から見て、レンズマウント１０１および可動マウント部５０１０のそれぞれの爪部同士が互いに重なることで中心軸方向において係合する。そして、この状態では、操作部材５０３０の回転操作に伴って、固定マウント部５０２０のねじ部５０２２と可動マウント部５０１０のねじ部との螺合状態が変化し、可動マウント部５０１０が中心軸方向において、撮像装置側へと移動する。図１２（ｃ）は、図１２（ｂ）に図示するＣ−Ｃ断面の断面図を示す。図１１（ｃ）および図１２（ｃ）に図示するように、マウント機構５０００の非ロック状態がロック状態に変化することに応じて、中心軸方向において、可動マウント部５０１０が固定マウント部５０２０から離れる方向に移動する。この構成により、レンズマウント１０１側のバヨネット爪部と係合した状態の可動マウント爪部５０１１ａ〜５０１１ｃのそれぞれが、撮像装置側へと移動する。
【０１２４】
以上説明したように、本変形例のマウント機構５０００は、レンズマウント側の爪部と係合可能な爪部を備えた可動マウント部が中心軸回りに回転することにより、可動マウント部を固定マウント部に対して中心軸方向に移動させることが出来る。この構成により、本変形例のマウント機構５０００は、レンズマウントとカメラ側のマウントとの結合状態において、両者の間に生じる隙間（ガタ）の発生を低減することが出来る。
【０１２５】
なお、上述した変形例では、撮像装置側にマウント機構５０００を設ける構成について説明したが、例えば、交換レンズ側などのカメラアクセサリ側にマウント機構５０００を備える構成に適用可能である。
【０１２６】
以下、前述の端子部と前述のマウント部との配置関係の詳細について説明する。
【０１２７】
図１３（ａ）（ｂ）を用いて前述のカメラマウント２０１とカメラ側端子部との配置関係について説明する。
【０１２８】
図１３（ａ）は、カメラマウント２０１と複数のカメラ側端子部（第１の端子部）である複数の端子ピン２０３ａ〜２０３ｋ、２０３ｍ、及びカメラ側の端子部保持部材２０３０の配置関係を被写体側（カメラ本体２００の正面側）からみた図である。図１３（ｂ）は、カメラマウント２０１と端子ピン２０３ａ〜２０３ｋ、２０３ｍ、及び保持部材２０３を被写体側（カメラ本体２００の正面側）の斜め上方から見た図である。
【０１２９】
図１３（ａ）に示すように、保持部材２０３０には端子ピン２０３ａ〜２０３ｋ、２０３ｍがカメラ端子ピン配列線３００１に沿って配列されている。端子ピン２０３ａ〜２０３ｋ、２０３ｍは、光軸Ｏと平行な方向に進退可能な可動方式の端子部であり、交換レンズ１００側に不図示のバネで付勢されている。
【０１３０】
前述の図９（ｂ）に示した各端子部と各端子ピンとの関係は次に示す通りである。すなわち、端子ピン２０３ａがカメラ側ＶＤＤ端子部、端子ピン２０３ｂがカメラ側ＶＢＡＴ端子部、端子ピン２０３ｃがカメラ側ＴＹＰＥ端子部、端子ピン２０３ｄがカメラ側ＰＧＮＤ端子部、端子ピン２０３ｅがカメラ側ＭＩＦ端子部である。そして、端子ピン２０３ｆがカメラ側ＤＣＬ端子部、端子ピン２０３ｇがカメラ側ＤＬＣ端子部、端子ピン２０３ｈがカメラ側ＬＣＬＫ端子部、端子ピン２０３ｉがカメラ側ＤＬＣ２端子部、端子ピン２０３ｊがカメラ側ＤＣＡ端子部である。そして、端子ピン２０３ｋがカメラ側ＣＳ端子部、端子ピン２０３ｍがカメラ側ＤＧＮＤ端子部である。
【０１３１】
図１３（ｂ）に示すように、端子ピン２０３ａ、２０３ｂ、２０３ｃ、２０３ｄの光軸Ｏ方向の高さは端子ピン２０３ｅ、２０３ｆ、２０３ｇ、２０３ｈ、２０３ｉ、２０３ｊ、２０３ｋ、２０３ｍの光軸Ｏ方向の高さよりも高くなっている。これは、保持部材２０３０が光軸Ｏ方向の高さが互いに異なる２つの面を有しており、高い方の面に端子ピン２０３ａ、２０３ｂ、２０３ｃ、２０３ｄが設けられており、低い方の面に残りの端子ピンが設けられているためである。
【０１３２】
つまり、本実施例では全ての端子ピンが同じ高さの面に設けられているわけではない。本実施例ではこのような構成を取ることによって、交換レンズ１００をカメラ本体２００に取りつける際に生じるカメラ側端子部がレンズ側端子部上を摺動することによる端子部の摩耗を抑制することができる。より詳細には、交換レンズ１００をカメラ本体２００に装着するために交換レンズ１００をロック位置から非ロック位置へ回転させる際に端子ピン２０３ｅ〜２０３ｋ、２０３ｍがレンズ側端子部と接触しない期間がある。このため、前述の端子部の摩耗を抑制することができる。
【０１３３】
次に、図１４（ａ）（ｂ）を用いて前述のレンズマウント１０１とレンズ側端子部との配置関係について説明する。図１４（ａ）は、交換レンズ１００が前述したロック位相状態にあるときのレンズマウント１０１と、複数のレンズ側端子部（第２の端子部）である端子面３０３ａ〜３０３ｋ、３０３ｍ及び保持部材１０５の配置関係を撮影者側から見た図である。図１４（ｂ）は、交換レンズ１００が前述したロック位相状態にあるときのレンズマウント１０１と端子面３０３ａ〜３０３ｋ、３０３ｍ及び保持部材１０５を交換レンズ１００がカメラ本体２００に装着された際の撮影者側の斜め上方から見た図である。
【０１３４】
図１４（ａ）に示すように、保持部材１０５には端子面３０３ａ〜３０３ｋ、３０３ｍがレンズ接点配列線３００８上に配列されている。前述の図９（ｂ）に示した各端子部と各端子面との関係は次に示す通りである。すなわち、端子面３０３ａがレンズ側ＶＤＤ端子部、端子面３０３ｂがレンズ側ＶＢＡＴ端子部、端子面３０３ｃがレンズ側ＴＹＰＥ端子部、端子面３０３ｄがレンズ側ＰＧＮＤ端子部、端子面３０３ｅがレンズ側ＭＩＦ端子部である。
【０１３５】
そして、端子面３０３ｆがレンズ側ＤＣＬ端子部、端子面３０３ｇがレンズ側ＤＬＣ端子部、端子面３０３ｈがレンズ側ＬＣＬＫ端子部、端子面３０３ｉがレンズ側ＤＬＣ２端子部、端子面３０３ｊがレンズ側ＤＣＡ端子部である。そして、端子面３０３ｋがレンズ側ＣＳ端子部、端子面３０３ｍがレンズ側ＤＧＮＤ端子部である。
【０１３６】
図１４（ｂ）に示すように、端子面３０３ａ、３０３ｂ、３０３ｃ、３０３ｄの光軸Ｏ方向の高さは端子面３０３ｅ、３０３ｆ、３０３ｇ、３０３ｈ、３０３ｉ、３０３ｊ、３０３ｋ、３０３ｍの光軸Ｏ方向の高さよりも低くなっている。これは、保持部材１０５が光軸Ｏ方向の高さが互いに異なる２つの面を有しており、低い方の面に端子面３０３ａ、３０３ｂ、３０３ｃ、３０３ｄが設けられており、高い方の面に残りの端子面が設けられているためである。前述のカメラ側端子部の構成に対して、レンズ側端子部がこの構成を取ることによって前述の端子部の摩耗を抑制することができる。
【０１３７】
３０３ｎおよび３０３ｑは、交換レンズ１００をカメラ本体２００に装着するために交換レンズ１００を回転させる際に端子ピンを撮像手段２０２側に押しこむための誘い込み斜面である。誘い込み斜面を設けることで、カメラ本体２００側に設けられた各端子ピンのレンズマウント１０１との接触圧が段階的に緩やかに変化するため、カメラ本体２００側に設けられた各端子ピンの変形や摩耗を低減することができる。
【０１３８】
次に図１５（ａ）（ｂ）を用いて、交換レンズ１００のカメラ本体２００への取付動作について説明する。
【０１３９】
カメラ本体２００への交換レンズ１００等のカメラアクセサリの装着は、大きく分けて次に述べる第１の動作と第２の動作に分けられる。
【０１４０】
第１の動作は、各レンズ爪部が各カメラ切欠き部に入り込めるようにカメラ本体２００と交換レンズ１００との間の回転方向の位置を所定の位置に合わせて交換レンズ１００をカメラ本体２００に挿入する動作である。このとき、図３（ａ）に示すレンズ側径嵌合部１０９と図４（ａ）に示すカメラ側径嵌合部２１０とを径嵌合させる。また、第２の動作はレンズ側径嵌合部１０９とカメラ側径嵌合部２１０とが径嵌合した状態でロック位置に向けてカメラ本体２００と交換レンズ１００とを相対的に回転させる。そして、カメラ本体２００と交換レンズ１００が互いにバヨネット結合をした状態にする。
【０１４１】
図１５（ａ）は、本実施例のカメラ本体２００に交換レンズ１００を取り付ける際の挿入位相状態（第１の状態）をカメラマウント２０１側（撮影者側）から見た図である。ここでいう挿入位相状態とは、第１のレンズ側爪部１０７ａを第２のカメラ側切欠き部２０９ｂへ、第２のレンズ側爪部１０７ｂを第３のカメラ側切欠き部２０９ｃへ、第３のレンズ側爪部１０７ｃを第１のカメラ側切欠き部２０９ａに挿入した状態のことである。この状態でレンズ側径嵌合部１０９とカメラ側径嵌合部２１０が径嵌合している。
【０１４２】
図１５（ｂ）は、本実施例のカメラ本体２００と交換レンズ１００の取り付ける際のロック位相状態（第２の状態）をカメラマウント２０１側（撮影者側）から見た図である。ここでいうロック位相状態とは、前述の図１５（ａ）に示す挿入位相状態から、交換レンズ１００の被写体側から見て時計まわりに交換レンズ１００を約６０°回転させて各レンズ爪部と各カメラ爪部とを互いに係合させた状態のことである。
【０１４３】
より詳細には、ロック位相状態では第１のレンズ側爪部１０７ａは第１のカメラ側爪部２０８ａの撮像手段２０２側に、第２のレンズ側爪部１０７ｂは第２のカメラ側爪部２０８ｂの撮像手段２０２側に位置している。また、第３のレンズ側爪部１０７ｃは第３のカメラ側爪部２０８ｃの撮像手段２０２側に位置している。この状態でレンズ爪部とカメラ爪部とが互いに係合しており、また、ロックピン２０３がロックピン用溝１０２に挿入されて交換レンズ１００の回転がロックされる。また、ロック位相状態では各レンズ爪部はレンズマウント付勢部材２０７によって撮像手段２０２の方向に付勢されている。なお、レンズマウント付勢部材２０７の代わりに、各カメラ爪部に板バネ部を設けてもよい。
【０１４４】
また、前述の誘い込み斜面３０３ｎおよび３０３ｑにより、交換レンズ１００が挿入位相状態からロック位相状態へ遷移する際に、カメラ本体２００側の各端子ピンが撮像手段２０２側に押圧される。
【０１４５】
そして、これらカメラ本体２００側の各端子ピンは押圧されたまま端子面３０３ａ〜３０３ｋ、３０３ｍの対応する箇所に接触する。なお、初めに接触するのは端子ピン２０３ｍと端子面３０３ｅである。
【０１４６】
前述のように、例えば、本実施例においては光学機器としての交換レンズ１００を例示して交換レンズ１００の構成について説明したが、本発明における光学機器は交換レンズ１００に限らない。例えば、交換レンズ１００とカメラ本体２００との間に介在させることが可能なアダプタを本発明でいう光学機器（アクセサリ）としてもよい。以下、このアダプタについてより詳細に説明する。なお、後述の第２変換アダプタ７０はカメラ本体２００が有するカメラマウント２０１と同じ構成のカメラマウント１２０１を有する。そして、第１の変換アダプタ４０は第１のレンズ１００（交換レンズ１００）が有するレンズマウント１０１と同じ構成のレンズマウント１１０１を有する。
【０１４７】
また、カメラマウント２０１とレンズマウント１０１の形状はリング形状であるが、以下に示す形状であってもよい。すなわち、カメラマウント２０１とレンズマウント１０１の形状、特に開口部の形状あるいは相手側に接触する部分の形状は円弧形状であってもよい。言い換えれば、カメラマウント２０１とレンズマウント１０１の形状、特に開口部の形状あるいは相手側に接触する部分の形状が、一部欠けているリング形状であってもよい。
【０１４８】
まず、図１６〜図１７を参照して、前述したカメラ本体２００のカメラマウント２０１に装着可能なカメラアクセサリである変換アダプタ（アダプタ装置）の基本構成について説明する。図１６は、カメラ本体２００に装着可能な第１の変換アダプタ４０および第２の交換レンズ５０を説明する図である。図１６（ａ）は、カメラ本体２００に第１の変換アダプタ４０を介して第２の交換レンズ５０が装着された状態の外観斜視図を示す。図１６（ｂ）はカメラ本体２００、第１の変換アダプタ４０、第２の交換レンズ５０をそれぞれ取り外した状態の外観斜視図を示す。なお、カメラ本体２００に対して第２の交換レンズ（以下、第２のレンズと称す）５０は、フランジバックが短いがカメラマウント２０１と同一のマウント径を有するレンズマウント５０１を備えている。すなわち、第２のレンズ５０は、前述した第１のレンズ１００と同一のマウント径であるが、第１のレンズ１００とは異なり、カメラ本体２００への直接装着に対応していないカメラアクセサリである。
【０１４９】
図１７は、カメラ本体６０に装着可能な第２の変換アダプタ７０および第１のレンズ１００を説明する図である。図１７（ａ）はカメラ本体６０に第２の変換アダプタ７０を介して第１のレンズ１００が装着された状態の外観斜視図を示し、図１７（ｂ）はカメラ本体６０、第２の変換アダプタ７０、第１のレンズ１００をそれぞれ取り外した状態の外観斜視図を示す。
【０１５０】
ここで、フランジバックが短い撮像装置にフランジバックが長い交換レンズが直接装着されると、正確な位置に焦点が結ばれないなどの不具合が生じ、その際に被写体を撮像することで不自然な画像が取得されてしまう。例えば、前述したカメラ本体２００にフランジバックが長い第２のレンズ５０が装着された場合に上述の問題が生じる。
【０１５１】
同様に、フランジバックの長い撮像装置にフランジバックの短い交換レンズが直接装着された場合も、正確な位置に焦点が結ばれないなどの不具合が生じ、その際に被写体を撮像することで不自然な画像が取得されてしまう。例えば、前述したカメラ本体２００よりもフランジバックが長い第２の撮像装置としてカメラ本体６０に、フランジバックが短い第１のレンズ１００が装着された場合に上述の問題が生じる。
【０１５２】
特に、カメラ本体２００およびカメラ本体６０と、第１のレンズ１００および第２のレンズ５０は同一のマウント径を有するため、どの撮像装置と交換レンズとが直接装着に対応したフランジバックを有するかを両者の外観からユーザーが判断するのは困難である。
【０１５３】
したがって、互いに対応しないフランジバックを有する撮像装置と交換レンズとが誤って直接装着されないように、所定の撮像装置には対応する交換レンズのみが直接接続可能であるのが好ましい。
【０１５４】
また、対応しない交換レンズを撮像装置に装着する場合、フランジバックを調整するには、両者の間に変換アダプタを介する必要がある。しかしながら、変換アダプタの一方の側に撮像装置に装着された状態で、当該変換アダプタの他方の側に当該撮像装置への直接接続に対応した交換レンズが誤って装着されてしまうと、前述したように正確に焦点が結ばれない虞がある。したがって、変換アダプタの一方の側と他方の側ではそれぞれ装着可能な撮像装置およびカメラアクセサリを制限する構成を備えることが望ましい。
【０１５５】
具体的に、フランジバックが短い撮像装置にフランジバックが長い交換レンズを装着する場合、一方の端側が当該撮像装置のみに装着可能であって、他方の端側が当該交換レンズのみに装着可能な変換アダプタが好ましい。また、フランジバックが長い撮像装置にフランジバックが短い交換レンズを装着する場合、一方の端側が当該撮像装置のみに装着可能であって、他方の端側が当該交換レンズのみに装着可能な変換アダプタが望ましい。
【０１５６】
第１の変換アダプタ４０には、光軸方向における一方の端側に、レンズマウント１１０１がアダプタ鏡筒４０ａに対して締結ビス（不図示）で取り付けられている。このレンズマウント１１０１は、前述したカメラ本体２００に設けられたカメラマウント２０１に着脱できるアクセサリマウントである。
【０１５７】
また、第１の変換アダプタ４０の光軸方向における他方の端側には、カメラマウント１４０１がアダプタ鏡筒４０ａに対して締結ビス（不図示）によって取り付けられている。このカメラマウント１４０１は、第２のレンズ５０のレンズマウント５０１に着脱できるカメラマウントである。なお、第１の変換アダプタ４０のカメラマウント４０１は、第２のレンズ５０におけるフランジバックに対応した位置にカメラ本体２００の撮像センサ１１の撮像面が位置するように取り付けられている。
【０１５８】
第２の変換アダプタ７０には、光軸方向における一方の端側に、レンズマウント１５０１がアダプタ鏡筒７０ａに対して締結ビス（不図示）によって取り付けられている。このレンズマウント１５０１は、カメラ本体６０に設けられたカメラマウント４０１に着脱できるアクセサリマウントである。
【０１５９】
また、第２の変換アダプタ７０には、光軸方向における他方の端側に、カメラマウント１２０１がアダプタ鏡筒７０ａに対して締結ビス（不図示）によって取り付けられている。このカメラマウント１２０１は、前述したように、第１のレンズ１００のレンズマウント１０１に着脱できるカメラマウントである。
【０１６０】
なお、第２の変換アダプタ７０には、光軸方向におけるアダプタ鏡筒７０ａとレンズマウント１５０１の間に、第１の光学部材７０１ａ、第２の光学部材７０１ｂが設けられている。この第１の光学部材７０１ａ、第２の光学部材７０１ｂにより、第２の変換アダプタ７０は、カメラ本体６０に配された撮像センサの撮像面に合わせて第１のレンズ１００のフランジバックの長さを延長することができる。なお、光学部材は便宜上２つのレンズとしたが、これに限定されるものではない。
【０１６１】
次に図１８〜図２２を参照して、第１の変換アダプタ４０のカメラマウントおよびレンズマウントの円周方向における、バヨネット爪が配設されている角度（位相）について説明する。図１８は、第１の変換アダプタ４０の一方の端に設けられたカメラマウント１４０１におけるバヨネット爪の設置角度を例示的に説明する図である。図１８（ａ）は、背面側（カメラ本体２００側）から見た、カメラマウント１４０１の円周方向において、ロックピン１４０１ｚを基準としたカメラ爪部およびカメラ切欠き部が占める角度範囲を説明した図である。図１８（ｂ）は、背面側（カメラ本体２００側）から見た、カメラマウント４０１の円周方向において、複数のカメラ爪部１４０１ａ〜１４０１ｃが占める角度範囲を説明する図である。図１８（ｃ）は、図１８（ｂ）に図示するＢ−Ｂ断面の断面図を示す。
【０１６２】
第１の変換アダプタ４０は、フランジバックが短いカメラ本体２００にフランジバックが長い第２のレンズ５０を装着するのに用いるマウントアダプタである。したがって、第１の変換アダプタ４０としては、レンズマウント１１０１にフランジバックが長いカメラ本体６０に直接装着できず、カメラマウント１４０１にフランジバックが短い第１のレンズ１００が直接装着できないような構成が望ましい。該構成により、第１の変換アダプタ４０における一方の端（第１の端）側に設けられたレンズマウント１１０１と、他方の端（第２の端）側に設けられたカメラマウント１４０１とがそれぞれ直接装着できないような爪部および切欠き部の位置関係を満たすことができる。
【０１６３】
カメラマウント１４０１には円周方向（内径方向）に向かって、第１のカメラ爪部１４０１ａ、第２のカメラ爪部１４０１ｂ、第３のカメラ爪部１４０１ｃが順に設けられている。なお、図１７（ａ）に図示するようにカメラマウント１４０１を背面側から見た場合、ロックピン１４０１ｚから最も離れた位置に設けられたカメラ爪部が第１のカメラ爪部１４０１ａである。そして、第１のカメラ爪部１４０１ａから時計回りに第２のカメラ爪部１４０１ｂ、第３のカメラ爪部１４０１ｃが順に設けられている。
【０１６４】
また、カメラマウント１４０１には円周方向（内径方向）に向かって、第１のカメラ切欠き部１４０１ｄ、第２のカメラ切欠き部１４０１ｅ、第３のカメラ切欠き部１４０１ｆが順に設けられている。なお、図１８（ａ）に図示するようにカメラマウント１４０１を背面側から見た場合、ロックピン１４０１ｚに最も近い位置に設けられた切欠き部が第２のカメラ切欠き部１４０１ｅである。そして、第２のカメラ切欠き部１４０１ｅから時計回りに第３のカメラ切欠き部１４０１ｆ、第１のカメラ切欠き部１４０１ｄが順に設けられている。
【０１６５】
また、図１８（ｃ）に図示するように、カメラマウント１４０１側には、カメラアクセサリが装着された際に、当該カメラアクセサリの光軸と平行な方向への移動を規制する嵌合部１４０１ｘが円周方向に設けられている。本実施形態では、カメラマウント１４０１側において、嵌合部１４０１ｘの光軸と直交する方向における径をマウント径とする。
【０１６６】
なお、第１の変換アダプタ４０と第２のレンズ５０とのバヨネット結合の仕方は、前述したカメラ本体２００と第１のレンズ１００とのバヨネット結合の仕方と略同一なので説明は省略する。
【０１６７】
また、説明のために、カメラ爪部１４０１ａ、１４０１ｂ、１４０１ｃの円周方向における端部のそれぞれを、第１の端部１４０１ａ１、第２の端部１４０１ａ２、第３の端部１４０１ｂ１、第４の端部１４０１ｂ２、第５の端部１４０１ｃ１、第６の端部１４０１ｃ２と称する。それぞれの端部には、前述したようにカメラマウント１４０１を背面側から見た場合に、第１のカメラ爪部１４０１ａから時計周りで順に部番を付す。
【０１６８】
図１８（ａ）に図示するように、本実施形態における第１の変換アダプタ４０において、各カメラ爪部および各カメラ切欠き部の、カメラマウント１４０１の円周方向に占める角度（角度範囲）を、以下のように規定する。第１のカメラ爪部１４０１ａの角度θＡ１＝５６°、第２のカメラ爪部１４０１ｂの角度θＡ２＝６２°、第３のカメラ爪部１４０１ｃの角度θＡ３＝６２°である。また、第１のカメラ切欠き部１４０１ｄの角度は５７°、第２のカメラ切欠き部１４０１ｅの角度は６６°、第３のカメラ切欠き部１４０１ｆの角度は５７°である。すなわち、カメラマウント１４０１は、前述したカメラ本体２００のカメラマウント２０１に対して、各カメラ爪部の角度は異なるが、各カメラ切欠き部の角度は同一である。
【０１６９】
また、第１の変換アダプタ４０を背面側からカメラ爪部を見た場合、カメラマウント１４０１の円周方向において各カメラ爪部が配されるロックピン１４０１ｚの位置（基準位置と称す）を基準とした時計回りの角度は以下のように規定する。第１のカメラ爪部１４０１ａは、基準位置を起点に１５９°から２１５°の間に配置される。第２のカメラ爪部１４０１ｂは、基準位置を起点に２７２°から３３４°の間に配置される。第３のカメラ爪部１４０１ｃは、基準位置を起点に４０°から１０２°の間に配置される。
【０１７０】
次に、図１９は、第１の変換アダプタ４０の他方の端に設けられたレンズマウント１１０１におけるバヨネット爪の設置角度を例示的に説明する図である。図１９（ａ）は、背面側から見た、レンズマウント１１０１の円周方向において、ロックピン溝部１１０２を基準としたレンズ爪およびレンズ切欠き部が占める角度範囲を説明した図である。図１９（ｂ）は、背面側から見た、レンズマウント１１０１の円周方向において、複数のレンズ側切欠き部１１０８ａ〜１１０８ｃが占める角度範囲を説明する図である。
【０１７１】
図１９（ａ）において、１１０１ｙは、第１の変換アダプタ４０がカメラ本体２００に装着された際に所望の位置から更に回転することを抑制するための周方向位置決めピンである。周方向位置決めピン１１０１ｙが前述の第４の端１２０８ｂ２に接触することで、第１の変換アダプタ４０が前述の所望の位置を超えて回転することが止まる。第１のレンズ（図２に示した交換レンズ）１００は周方向位置決めピン１１０１ｙと同じ周方向位置決めピンを有している。
【０１７２】
図１９（ｂ）に図示するように、各レンズ切欠き部の、レンズマウント１１０１の円周方向に占める角度（角度範囲）は、第１のレンズ側切欠き部１１０８ａの角度をθＡ４、第２のレンズ側切欠き部１１０８ｂの角度をθＡ５とする。なお、第１の変換アダプタ４０のレンズマウント１１０１における各爪および切欠き部の設置角度は、前述した第１のレンズ１００のレンズマウント１０１と同様なので説明は省略する。
【０１７３】
第１の変換アダプタ４０に設けられたレンズマウント１１０１とカメラマウント１４０１との各爪と切欠き部の円周方向における角度を比較する。例えば、レンズマウント１１０１側において、最小の角度を有する第２のレンズ側切欠き部１１０８ｂの角度θＡ５は４４°であり、これに対して、カメラマウント１４０１側において、最小の角度を有する第１のカメラ爪部１４０１ａの角度θＡ１は５６°である。すなわち、レンズマウント１１０１側における最も小さい角度を有する切欠き部よりもカメラマウント１４０１側における最も小さい角度を有する爪の方が大きい（θＡ５＜θＡ１）。この場合、レンズマウント１１０１側の切欠き部とカメラマウント１４０１側の爪のうち、少なくとも１つ以上のレンズ切欠き部とカメラ爪部同士は互いに干渉する。したがって、カメラマウント１４０１側とレンズマウント１１０１側の光軸同士が略平行となるようにカメラ本体に交換レンズを装着しようとしても、爪部と切欠き部とが干渉するため、カメラ本体に対して交換レンズを装着することはできない。
【０１７４】
しかしながら、１つの爪部と切欠き部とが互いに干渉しているだけでは、レンズマウント側の各切欠き部にカメラマウント側の各爪を挿入可能となる場合がある。図２０は、互いに干渉する爪部と切欠き部とを有する所定の撮像装置１０００と所定の交換レンズ２０００との装着方法を例示的に説明する図である。図２０（ａ）は、互いに干渉する爪部と切欠き部とを有する所定の撮像装置に所定の交換レンズを装着する途中の正面図を例示的に説明する図である。図２０（ｂ）は、図２０（ａ）に図示するＢ−Ｂ断面の断面図である。
【０１７５】
例えば、図２０（ａ）、（ｂ）に図示するように、カメラマウント側の光軸に対してレンズマウント側の光軸を斜めに傾けた状態で、カメラ爪部の一端をレンズ切欠き部に挿入し、その状態からレンズマウントとカメラマウントとを相対的に回転させる。この場合、本来は互いに干渉するカメラ爪部とレンズ切欠き部であっても、レンズマウントとカメラマウントとの相対回転途中で互いの干渉が解消されて、当該レンズ切欠き部にカメラ爪部が挿入された状態へと遷移可能である。この場合、他のカメラ爪部とレンズ切欠き部とが干渉していなければ、カメラ本体に対して交換レンズを装着可能である。
【０１７６】
そこで、本実施形態では、基準となるレンズ爪に隣り合う所定のレンズ切欠き部の角度が、基準となるカメラ切欠き部に隣り合う２つのカメラ爪部の角度よりも小さくなるように、レンズマウント１１０１側とカメラマウント１４０１側における各爪部と切欠き部を配する。
【０１７７】
具体的に本実施形態では、第１のレンズ側爪部１１０７ａに隣り合う第１のレンズ側切欠き部１１０８ａと第２のレンズ側切欠き部部１１０８ｂの角度θＡ４、θＡ５が、第１のカメラ切欠き部１４０１ｄに隣り合う第１のカメラ爪部１４０１ａと第２のカメラ爪部１４０１ｂの角度θＡ１、θＡ２よりも小さい。すなわち、θＡ４（５２°）がθＡ１（５６°）より小さく、θＡ５（４４°）がθＡ２（６２°）よりも小さい（θＡ４＜θＡ１、θＡ５＜θＡ２）。
【０１７８】
したがって、図２１に図示するように、第１のレンズ側爪部１１０７ａを第１のカメラ切欠き部１４０１ｄに挿入させようとしても、第２のレンズ側爪部１１０７ｂが第２のカメラ爪部１４０１ｂと、第３のレンズ側爪部１１０７ｃが第１のカメラ爪部１４０１ａとが確実に干渉する。
【０１７９】
図２１は、本発明の実施形態に係るカメラマウント１４０１側に対してレンズマウント１１０１側を装着しようとした際の、爪同士の干渉する様子を例示的に説明した図である。図２１（ａ）は、第３のレンズ側爪部１１０７ｃと第１のカメラ爪部１４０１ａとが干渉する様子を示し、図２１（ｂ）は、第２のレンズ側爪部１１０７ｂと第２のカメラ爪部１４０１ｂとが干渉する様子を示している。
【０１８０】
以上説明したように、本実施形態では、対応しない交換レンズと撮像装置の各マウント部における各爪のうち、互いの２つの爪同士が干渉するように、対応しない交換レンズと撮像装置、および変換アダプタの各マウント部を構成する。この構成により、対応しない交換レンズが撮像装置に誤装着される、あるいは、変換アダプタの両端に設けられた各マウント部に対応しない交換レンズおよび撮像装置が誤装着されるリスクを低減することができる。
【０１８１】
しかしながら、上記の条件を満たす場合であっても、例えば、３つの爪を対応しない切欠き部に挿入しようとした場合に、各爪部および切欠き部の角度によっては、２つの爪部が切欠き部に挿入されてしまう場合がある。
【０１８２】
そこで本実施形態では、さらに、少なくとも２つの隣り合うレンズ切欠き部の角度が、全てのカメラ爪部の角度よりも小さい構成とする。具体的に、本実施形態では、第１のレンズ側切欠き部１１０８ａと第２のレンズ側切欠き部１１０８ｂの円周方向における角度θＡ４、θＡ５が、第１〜第３のカメラ爪部１４０１ａ〜１４０１ｃの円周方向における角度θＡ１〜θＡ３よりも小さい。すなわち、本実施形態におけるレンズマウント１１０１側とカメラマウント１４０１側の各爪部および各切欠き部の関係は、θＡ４＜θＡ１、θＡ４＜θＡ２、θＡ４＜θＡ３、θＡ５＜θＡ１、θＡ５＜θＡ２、θＡ５＜θＡ３を満たす。
【０１８３】
図２２は、本発明の実施形態に係るレンズマウント１１０１側およびカメラマウント１４０１側において、対応しない爪部を切欠き部に挿入しようとする場合を例示的に説明する図である。図２２（ａ）は第１のレンズ側爪部１１０７ａを第３のカメラ切欠き部１４０１ｆに挿入しようとする場合の、第３のレンズ側爪部１１０７ｃと第３のカメラ爪部１４０１ｃとが干渉する様子を示している。また、図２２（ｂ）は第１のレンズ側爪部１１０７ａを第３のカメラ切欠き部１４０１ｆに挿入しようとする場合の、第２のレンズ側爪部１１０７ｂと第１のカメラ爪部１４０１ａとが干渉する様子を示している。また、図２２（ｃ）は第１のレンズ側爪部１１０７ａを第２のカメラ切欠き部１４０１ｅに挿入しようとする場合の、第３のレンズ側爪部１１０７ｃと第２のカメラ爪部１４０１ｂとが干渉する様子を示している。また、図２２（ｄ）は第１のレンズ側爪部１１０７ａを第２のカメラ切欠き部１４０１ｅに挿入しようとする場合の、第２のレンズ側爪部１１０７ｂと第３のカメラ爪部１４０１ｃとが干渉する様子を示している。
【０１８４】
図２２（ａ）〜（ｄ）に図示するように、本実施形態では、レンズマウント１１０１とカメラマウント１４０１の相対的な回転角度に依らずに、少なくとも２箇所のレンズ爪部とカメラ爪部同士が干渉する。この構成により、レンズマウント１０１（１１０１）を備えた交換レンズおよび変換アダプタが、カメラマウント４０１（１４０１）を備えた撮像装置および変換アダプタに誤装着されることをより効果的に防止することができる。
【０１８５】
次に、図２３〜２７を参照して、第２の変換アダプタ７０のカメラマウントおよびレンズマウントの円周方向における、バヨネット爪が配設されている角度（位相）について説明する。
【０１８６】
第２の変換アダプタ７０は、フランジバックが長いカメラ本体６０にフランジバックが短い第１のレンズ１００を装着するのに用いるマウントアダプタである。第２の変換アダプタ７０の一方の端（第３の端）側にはレンズマウント１５０１が設けられ、他方の端（第４の端）側にはカメラマウント１２０１が設けられている。なお、第２の変換アダプタ７０のカメラマウント１２０１は、前述した第１の撮像装置であるカメラ本体２００のカメラマウント２０１と同一の構成を備える。また、第２の変換アダプタ７０のレンズマウント１５０１は、前述した第２のレンズ５０のレンズマウント５０１と同一の構成を備える。
【０１８７】
したがって、第２の変換アダプタ７０としては、レンズマウント１５０１にフランジバックが短いカメラ本体２００に直接装着できず、カメラマウント１２０１にフランジバックが長い第２のレンズ５０が直接装着できないような構成が望ましい。該構成は、第２の変換アダプタ７０における一方の端（第３の端）側に設けられたレンズマウント１５０１と、他方の端（第４の端）側に設けられたカメラマウント１２０１とがそれぞれ直接装着できないような爪部および切欠き部の位置関係を満たすことで実現できる。
【０１８８】
図２３は、第２の変換アダプタ７０の一方の端に設けられたカメラマウント１２０１におけるバヨネット爪の設置角度を例示的に説明する図である。図２３（ａ）は、背面側から見た、カメラマウント１２０１の円周方向において、ロックピン１２０３を基準としたカメラ爪部およびカメラ切欠き部が占める角度範囲を説明した図である。図２３（ｂ）は、背面側から見た、カメラマウント１２０１の円周方向において、複数のカメラ爪部１２０１ａ〜１２０１ｃに関して各爪が設けられている角度範囲を説明する図である。なお、第２の変換アダプタ７０のカメラマウント１２０１における各爪部および切欠き部の設置角度は、前述したカメラ本体２００のカメラマウント２０１と同様なので説明は省略する。
【０１８９】
図２３（ｂ）に図示するように、カメラマウント１２０１の円周方向において、第３のカメラ側爪部１２０８ｃの第６の端１２０８ｃ２から第１のカメラ側爪部１２０８ａを含み第２のカメラ側爪部１２０８ｂの第３の端１２０８ｂ１までの角度をθＡ６（１６２°）とする。また、カメラマウント１２０１の円周方向において、第１のカメラ側爪部１２０８ａの第２の端１２０８ａ２から第２のカメラ側爪部１２０８ｂを含み第３のカメラ側爪部１２０８ｃの第５の端１２０８ｃ１までの角度をθＡ７（１６３°）とする。また、カメラマウント１２０１の円周方向において、第２のカメラ側爪部１２０８ｂの第４の端１２０８ｂ２から第３のカメラ側爪部１２０８ｃを含み第１のカメラ側爪部１２０８ａの第１の端１２０８ａ１までの角度をθＡ８（２１５°）とする。
【０１９０】
次に、図２４は、第２の変換アダプタ７０の他方の端に設けられたレンズマウント１５０１におけるバヨネット爪の設置角度を例示的に説明する図である。図２４（ａ）は、背面側から見た、レンズマウント１５０１の円周方向において、ロックピンが挿入される凹部１５０１ｚを基準としたレンズ爪部およびレンズ切欠き部が占める角度範囲を説明した図である。図２４（ｂ）は、背面側から見た、レンズマウント１５０１の円周方向において、複数のレンズ切欠き部１５０１ａ〜１５０１ｃに関して各切欠き部が設けられている角度範囲を説明する図である。図２４（ｃ）は、図２３（ｂ）に図示するＣ−Ｃ断面の断面図を示す。
【０１９１】
レンズマウント１５０１には円周方向（内径方向）に向かって、第１のレンズ爪部１５０１ｄ、第２のレンズ爪部１５０１ｅ、第３のレンズ爪部１５０１ｆが順に設けられている。なお、図２４（ａ）に図示するようにレンズマウント１５０１を背面側から見た場合、凹部１５０１ｚから最も離れた位置に設けられたレンズ爪部が第１のレンズ爪部１５０１ｄである。そして、第１のレンズ爪部１５０１ｄから時計回りに第２のレンズ爪部１５０１ｅ、第３のレンズ爪部１５０１ｆが順に設けられている。
【０１９２】
また、レンズマウント１５０１には円周方向（内径方向）に向かって、第１のレンズ切欠き部１５０１ａ、第２のレンズ切欠き部１５０１ｂ、第３のレンズ切欠き部１５０１ｃが順に設けられている。なお、図２４（ａ）に図示するようにレンズマウント１５０１を背面側から見た場合、凹部１５０１ｚに最も近い位置に設けられた切欠き部が第３のレンズ切欠き部１５０１ｃである。そして、第３のレンズ切欠き部１５０１ｃから時計回りに第１のレンズ切欠き部１５０１ａ、第２のレンズ切欠き部１５０１ｂが順に設けられている。
【０１９３】
なお、説明のために、レンズ爪部１５０１ｄ、１５０１ｅ、１５０１ｆの円周方向における端部のそれぞれを、第１の端部１５０１ｄ１、第２の端部１５０１ｄ２、第３の端部１５０１ｅ１、第４の端部１５０１ｅ２、第５の端部１５０１ｆ１、第６の端部１５０１ｆ２と称する。それぞれの端部には、前述したようにレンズマウント１５０１を背面側から見た場合に、第１のレンズ爪部１５０１ｄから時計周りで順に部番を付す。
【０１９４】
図２４（ａ）に図示するように、本実施形態では、各レンズ爪部および各レンズ切欠き部の、レンズマウント１５０１の円周方向に占める角度（角度範囲）を、以下のように規定する。第１のレンズ爪部１５０１ｄの角度は５３°、第２のレンズ爪部１５０１ｅの角度は６２°、第３のレンズ爪部１５０１ｆの角度は５３°である。すなわちレンズマウント１５０１側における各レンズ爪部の角度は前述したレンズマウント１１０１側におけるレンズ爪部の角度と同一である。
【０１９５】
これに対して、レンズマウント１５０１側のレンズ切欠き部の角度は、前述したレンズマウント１１０１側のレンズ切欠き部の角度と異なる。具体的に、第１のレンズ切欠き部１５０１ａの角度は６０°、第２のレンズ切欠き部１５０１ｂの角度は６６°、第３のレンズ切欠き部１５０１ｃの角度は６６°である。
【０１９６】
また、背面側からレンズ爪部を見た場合に、レンズマウント１５０１の円周方向において各レンズ爪部が配される凹部１５０１ｚの位置（基準位置と称す）を基準とした時計回りの角度は以下のように規定する。第１のレンズ爪部１５０１ｄは、基準位置を起点に１５７°から２１０°の間に配置される。第２のレンズ爪部１５０１ｅは、基準位置を起点に２７６°から３３８°の間に配置される。第３のレンズ爪部１５０１ｆは、基準位置を起点に４４°から９７°の間に配置される。
【０１９７】
また、図２４（ｃ）に図示するように、レンズマウント１５０１側には、撮像装置に装着された際に、当該撮像装置の光軸と直交する方向への移動を規制する嵌合部１５０１ｘが円周方向に設けられている。本実施形態では、カメラマウント１２０１側において、嵌合部１５０１ｘの光軸と平行な方向における径をマウント径とする。以上説明した、各カメラマウントおよびレンズマウントにおけるマウント径は略同一の長さであるとする。
【０１９８】
また、図２５（ａ）（ｂ）に図示するように、レンズマウント１５０１の円周方向において、第３のレンズ爪部１５０１ｆの第５の端１５０１ｆ１から第１のレンズ切欠き部１５０１ａを含み第１のレンズ爪部１５０１ｄの第２の端１５０１ｄ２までの角度をθＡ９（１６６°）とする。また、レンズマウント１５０１の円周方向において、第１のレンズ爪部１５０１ｄの第１の端１５０１ｄ１から第２のレンズ切欠き部１５０１ｂを含み第２のレンズ爪部１５０１ｅの第４の端１５０１ｅ２までの角度をθＡ１０（１８１°）とする。また、レンズマウント１５０１の円周方向において、第２のレンズ爪部１５０１ｅの第３の端１５０１ｅ１から第３のレンズ切欠き部１５０１ｃを含み第３のレンズ爪部１５０１ｆの第６の端１５０１ｆ２までの角度をθＡ１１（１８１°）とする。
【０１９９】
第２の変換アダプタ７０に設けられたカメラマウント１２０１とレンズマウント１５０１との各爪部と切欠き部の円周方向における角度を比較する。例えば、カメラマウント１２０１側における第３のカメラ爪部１２０８ｃの角度（９２°）は、レンズマウント１５０１側におけるレンズ切欠き部のうち最大の角度を有する第２、第３のレンズ切欠き部１５０１ｂ、１５０１ｃの角度（６６°）よりも大きい。すなわち、カメラマウント１２０１側における少なくとも１つのカメラ爪部の角度が、レンズマウント１５０１側における最大の角度を有するレンズ切欠き部の角度よりも大きい。
【０２００】
この場合、カメラマウント１２０１側の爪部とレンズマウント１５０１側の切欠き部のうち、少なくとも１つ以上のカメラ爪部とレンズ切欠き部同士は互いに干渉する。したがって、カメラマウント１２０１側とレンズマウント１５０１側の光軸同士が略平行となるようにカメラ本体に交換レンズを装着しようとしても、爪部と切欠き部とが干渉するため、カメラ本体に対して交換レンズを装着することはできない。
【０２０１】
しかしながら、前述した第１の変換アダプタ４０での説明と同様に、１つの爪部と切欠き部とが互いに干渉しているだけでは、レンズマウント側の各切欠き部にカメラマウント側の各爪部を挿入可能となる場合がある。例えば、カメラマウント側の光軸に対してレンズマウント側の光軸を斜めに傾けた状態で、カメラ爪部の一端をレンズ切欠き部に挿入し、レンズマウントとカメラマウントとを相対的に回転させることで、カメラ本体に対して交換レンズを装着できる場合がある。
【０２０２】
そこで、本実施形態では、円周方向において、カメラマウント１２０１側とレンズマウント１５０１側における爪部および切欠き部を、θＡ６＜θＡ９、且つθＡ７＜θＡ１０を満たすように配設する。図２５は、本発明の実施形態に係るカメラマウント１２０１側の基準となる切欠き部にレンズマウント１５０１側の基準となる爪を装着しようとした際の、爪部同士の干渉する様子を例示的に説明した図である。図２５（ａ）は、第３のレンズ爪部１５０１ｆと第３のカメラ側爪部１２０８ｃとが干渉する様子を示し、図２４（ｂ）は、第２のレンズ爪部１５０１ｅと第３のカメラ側爪部１２０８ｃとが干渉する様子を示している。
【０２０３】
図２５（ａ）、（ｂ）に図示するように、例えば、基準となる第１のレンズ爪部１５０１ｄを基準となるカメラ切欠き部１２０９ｄに挿入させようとした場合、第３のカメラ側爪部１２０８ｃが第２、第３のレンズ爪部１５０１ｅ、１５０１ｆと干渉する。
【０２０４】
すなわち、背面側から見て、基準となる１つのレンズ爪部と、その時計周り方向で隣接する他のレンズ爪部と、これらのレンズ爪部の間に位置するレンズ切欠き部の角度の総和を第１の角度とする。そして、背面側から見て、基準となる１つのカメラ切欠き部と、その時計回り方向で隣接する他のカメラ切欠き部と、その間に位置するカメラ爪部の角度の総和を第２の角度とする。また、背面側から見て、基準となる１つのレンズ爪部と、その反時計周り方向で隣接する他のレンズ爪部と、これらのレンズ爪部の間に位置するレンズ切欠き部の角度の総和を第３の角度とする。さらに、背面側から見て、基準となる１つのカメラ切欠き部と、その反時計回り方向で隣接する他のカメラ切欠き部と、その間に位置するカメラ爪部の角度の総和を第４の角度とする。本実施形態では、上述した第１の角度が第２の角度よりも大きく第３の角度が第４の角度よりも大きくなるように、カメラマウント１２０１側とレンズマウント１５０１側における爪部および切欠き部を配設すればよい。
【０２０５】
この構成により、少なくとも２つのレンズ爪部と１つのカメラ爪とが互いに干渉する。したがって、対応しない交換レンズが撮像装置に誤装着される、あるいは、変換アダプタの両端に設けられた各マウント部に対応しない交換レンズおよび撮像装置が誤装着されるリスクを低減することができる。
【０２０６】
しかしながら、上記の条件を満たす場合であっても、例えば、３つの爪部を対応しない切欠き部に挿入しようとした場合に、各爪部およびの角度によっては、２つの爪部が切欠き部に挿入されてしまう場合がある。
【０２０７】
そこで、本実施形態では、円周方向において、カメラマウント１２０１側とレンズマウント１５０１側における爪部および切欠き部を、θＡ６＜θＡ９、θＡ６＜θＡ１０、θＡ６＜θＡ１１且つθＡ７＜θＡ９、θＡ７＜θＡ１０、θＡ７＜θＡ１１を満たすように配設する。すなわち、背面側から見て、前述した基準となるレンズ爪部以外の２つの爪とその間に位置するレンズ切欠き部の総和を第５の角度とする。本実施形態では、前述した第２の角度および第４の角度が、第１の角度および第３の角度および第５の角度のいずれよりも小さくなるように、カメラマウント１２０１側とレンズマウント１５０１側における爪部および切欠き部を配設すればよい。
【０２０８】
図２６は、本発明の実施形態に係るカメラマウント１２０１側の基準となる切欠き部にレンズマウント１５０１側の基準以外の爪部を装着しようとした際の、爪同士の干渉する様子を例示的に説明した図である。図２６（ａ）は、第２のレンズ爪部１５０１ｅを第２のカメラ側切欠き部１２０９ｂに挿入させようとする場合の、第１のレンズ爪部１５０１ｄと第３のカメラ側爪部１２０８ｃとが干渉する様子を示している。また、図２６（ｂ）は、第２のレンズ爪部１５０１ｅを第２のカメラ側切欠き部１２０９ｂに挿入させようとする場合の、第３のレンズ爪部１５０１ｃと第３のカメラ側爪部１２０８ｃとが干渉する様子を示している。また、図２６（ｃ）は、第３のレンズ爪部１５０１ｆを第２のカメラ側切欠き部１２０９ｂに挿入させようとする場合の、第２のレンズ爪部１５０１ｅと第３のカメラ側爪部１２０８ｃとが干渉する様子を示している。また、図２５（ｄ）は、第３のレンズ爪部１５０１ｆを第２のカメラ側切欠き部１２０９ｂに挿入させようとする場合の、第１のレンズ爪部１５０１ｄと第３のカメラ側爪部１２０８ｃとが干渉する様子を示している。
【０２０９】
図２６（ａ）〜（ｄ）に図示するように、本実施形態では、レンズマウント１５０１とカメラマウント１２０１の相対的な回転角度に依らずに、少なくとも２つレンズ爪部が１つのカメラ爪部と干渉する。この構成により、レンズマウント５０１（１５０１）を備えた交換レンズおよび変換アダプタが、カメラマウント２０１（１２０１）を備えた撮像装置および変換アダプタに誤装着されることをより効果的に防止することができる。
【０２１０】
図２７は、本発明の実施形態に係るカメラマウント４０１側とレンズマウント５０１側のそれぞれに設けられた爪部同士を係合させた状態を例示的に説明する図である。図２７に図示するように、第１のレンズ爪部５０１ｄは第１のカメラ切欠き部４０１ｄに挿入できる。また、第２のレンズ爪部５０１ｅは第２のカメラ切欠き部４０１ｅに挿入できる。さらに、第３のレンズ爪部５０１ｆは第３のカメラ切欠き部４０１ｆに挿入できる。すなわち、カメラマウント４０１側とレンズマウント５０１側とは、互いに直接装着に対応した組合せである。なお、図１０（ａ）に図示したように、カメラマウント２０１側とレンズマウント１０１側とは、互いに直接装着に対応した組合せである。
【０２１１】
以上説明したように、フランジバックの長い撮像装置（例えばカメラ本体６０）に対応するカメラマウント４０１と、フランジバックの長い交換レンズ（例えば第２のレンズ５０）に対応するレンズマウント５０１は互いに直接装着が可能である。しかしながら、フランジバックの短い撮像装置（例えばカメラ本体２００）に対応するカメラマウント２０１と、フランジバックの長い交換レンズ（例えば第２のレンズ５０）に対応するレンズマウント５０１は互いに直接装着ができない。また、フランジバックの短い撮像装置（例えばカメラ本体２００）に対応するカメラマウント２０１と、フランジバックの短い交換レンズ（例えば第１のレンズ１００）に対応するレンズマウント１０１は互いに直接装着が可能である。しかしながら、フランジバックの長い撮像装置（例えばカメラ本体６０）に対応するカメラマウント４０１と、フランジバックの短い交換レンズ（例えば第１のレンズ１００）に対応するレンズマウント１０１は互いに直接装着ができない。
【０２１２】
したがって、上述した本実施形態の構成を採用した撮像装置およびカメラアクセサリは、略同一のマウント径を有するが互いに対応しない撮像装置およびカメラアクセサリの誤装着を防止することができる。
【符号の説明】
【０２１３】
１００  交換レンズ（光学機器）
１０２  ロックピン溝部（被挿入部）
１０７ａ  第１のレンズ側爪部（複数の第２の係合部の一部）
１０７ｂ  第２のレンズ側爪部（複数の第２の係合部の一部、第２の被挿入部側の係合部）
１０７ｃ  第３のレンズ側爪部（複数の第２の係合部の一部、第１の被挿入部側の係合部）
２００  カメラボディ（撮像装置）
２０３  ロックピン（規制部）
２０８ａ  第１のカメラ側爪部（複数の第１の係合部の一部）
２０８ｂ  第２のカメラ側爪部（複数の第１の係合部の一部）
２０８ｃ  第３のカメラ側爪部（複数の第１の係合部の一部）
【図１】
2020042295.tif 000003
【図２】
2020042295.tif 000004
【図３】
2020042295.tif 000005
【図４】
2020042295.tif 000006
【図５】
2020042295.tif 000007
【図６】
2020042295.tif 000008
【図７】
2020042295.tif 000009
【図８】
2020042295.tif 000010
【図９】
2020042295.tif 000011
【図１０】
2020042295.tif 000012
【図１１】
2020042295.tif 000013
【図１２】
2020042295.tif 000014
【図１３】
2020042295.tif 000015
【図１４】
2020042295.tif 000016
【図１５】
2020042295.tif 000017
【図１６】
2020042295.tif 000018
【図１７】
2020042295.tif 000019
【図１８】
2020042295.tif 000020
【図１９】
2020042295.tif 000021
【図２０】
2020042295.tif 000022
【図２１】
2020042295.tif 000023
【図２２】
2020042295.tif 000024
【図２３】
2020042295.tif 000025
【図２４】
2020042295.tif 000026
【図２５】
2020042295.tif 000027
【図２６】
2020042295.tif 000028
【図２７】
2020042295.tif 000029